(57)【特許請求の範囲】
【請求項１】
１又は複数のセクター間制御メッセージを送信するための方法において、
メッセージ伝送資源のセットを２つ以上の部分に分割することと、ここで、前記部分のうちの一つは、セクター間制御チャネルに割り当てられ、少なくとも一つの異なる部分は、前記セクター間制御チャネル以外の少なくとも一つのチャネルに割り当てられる、
個々の再利用パターンを、前記部分のうちの少なくとも二つのそれぞれに割り当てることと、ここで、前記セクター間制御チャネルのための第１の再利用パターンは、オーバーラップしない制御資源を隣接するセクターに割り当てるものであり、前記セクター間制御チャネル以外の前記少なくとも一つのチャネルのための第２の再利用パターンは、前記セクター間制御チャネルのための前記再利用パターンとは異なるものである、
送信機を使用して、前記セクター間制御チャネルのための前記再利用パターンを用いて、前記セクター間制御チャネルの上で、セクター間制御メッセージを送信することを含む方法。
【請求項２】
前記第２の再利用パターンは、単一の周波数再利用である、請求項１の方法。
【請求項３】
前記セクター間制御メッセージのために伝送されるシンボルは、パイロット・シンボル及びデータ・シンボルの混成を含む請求項１の方法。
【請求項４】
前記送信することは、前記セクター間制御メッセージを、隣接するセクターにおけるモバイル・デバイスに送信することを含む請求項１の方法。
【請求項５】
前記分割することに先だって、前記セクター間制御メッセージを送信するために、資源のセットを割り当てることを更に含む請求項１の方法。
【請求項６】
前記メッセージ伝送資源のセットは、時間資源、周波数資源、符号空間資源又は電力資源のうちの一つである請求項１の方法。
【請求項７】
１又は複数のセクター間制御メッセージを送信する無線通信装置において、
メッセージ伝送資源のセットを２つ以上の部分に分割するためのインストラクションと、ここで、前記部分のうちの一つは、セクター間制御チャネルに割り当てられ、少なくとも一つの異なる部分は、前記セクター間制御チャネル以外の少なくとも一つのチャネルに割り当てられる、
個々の再利用パターンを、前記部分のうちの少なくとも二つのそれぞれに割り当てるためのインストラクションと、ここで、前記セクター間制御チャネルのための第１の再利用パターンは、オーバーラップしない制御資源を隣接するセクターに割り当てるものであり、前記セクター間制御チャネル以外の前記少なくとも一つのチャネルのための第２の再利用パターンは、前記セクター間制御チャネルのための前記再利用パターンとは異なるものである、
前記セクター間制御チャネルのための前記再利用パターンを用いて、前記セクター間制御チャネルの上で、セクター間制御メッセージを送信するためのインストラクションを保持するメモリと、
前記メモリに接続され、前記メモリ中に保持された前記インストラクションを実行するように構成されたプロセッサとを含む無線通信装置。
【請求項８】
前記第２の再利用パターンは、単一の周波数再利用である、請求項７の無線通信装置。
【請求項９】
前記セクター間制御メッセージのために伝送されるシンボルは、パイロット・シンボル及びデータ・シンボルの混成を含む請求項７の無線通信装置。
【請求項１０】
前記送信することは、前記セクター間制御メッセージを、隣接するセクターにおける１又は複数のモバイル・デバイスに送信することを含む請求項７の無線通信装置。
【請求項１１】
前記メモリは、前記分割の前に、前記セクター間制御メッセージを送信するために、資源のセットを割り当てるためのインストラクションを更に保持する請求項７の無線通信装置。
【請求項１２】
前記メッセージ伝送資源のセットは、時間資源、周波数資源、符号空間資源又は電力資源のうちの一つである請求項７の無線通信装置。
【請求項１３】
１又は複数のセクター間制御メッセージを送信する無線通信装置において、
メッセージ伝送資源のセットを２つ以上の部分に分割するための手段と、ここで、前記部分のうちの一つは、セクター間制御チャネルに割り当てられ、少なくとも一つの異なる部分は、前記セクター間制御チャネル以外の少なくとも一つのチャネルに割り当てられる、
個々の再利用パターンを、前記部分のうちの少なくとも二つのそれぞれに割り当てるための手段と、ここで、前記セクター間制御チャネルのための第１の再利用パターンは、オーバーラップしない制御資源を隣接するセクターに割り当てるものであり、前記セクター間制御チャネル以外の前記少なくとも一つのチャネルのための第２の再利用パターンは、前記セクター間制御チャネルのための前記再利用パターンとは異なるものである、
前記セクター間制御チャネルのための前記再利用パターンを用いて、前記セクター間制御チャネルの上で、隣接するセクターにおけるモバイル・デバイスに、セクター間制御メッセージを伝えるための手段とを含む無線通信装置。
【請求項１４】
前記第２の再利用パターンは、単一の周波数再利用である、請求項１３の無線通信装置。
【請求項１５】
前記セクター間制御メッセージのために伝送されるシンボルは、パイロット・シンボル及びデータ・シンボルを含む請求項１３の無線通信装置。
【請求項１６】
前記メッセージ伝送資源を分割する前に、資源のセットを予約するための手段を更に含む請求項１３の無線通信装置。
【請求項１７】
前記メッセージ伝送資源のセットは、時間資源、周波数資源、符号空間資源又は電力資源のうちの一つである請求項１３の無線通信装置。
【請求項１８】
コンピュータ・プログラムを記憶するコンピュータ読み取り可能な記憶媒体において、前記コンピュータ・プログラムは、
コンピュータに、メッセージ伝送資源のセットを２つ以上の部分に分割させるための第１のコード・セットと、ここで、前記部分のうちの一つは、セクター間制御チャネルに割り当てられ、少なくとも一つの異なる部分は、前記セクター間制御チャネル以外の少なくとも一つのチャネルに割り当てられる、
前記コンピュータに、個々の再利用パターンを、前記部分のうちの少なくとも二つのそれぞれに割り当てさせるための第２のコード・セットと、ここで、前記セクター間制御チャネルのための第１の再利用パターンは、オーバーラップしない制御資源を隣接するセクターに割り当てるものであり、前記セクター間制御チャネル以外の前記少なくとも一つのチャネルのための第２の再利用パターンは、前記セクター間制御チャネルのための前記再利用パターンとは異なるものである、
前記コンピュータに、前記セクター間制御チャネルのための前記再利用パターンを用いて、前記セクター間制御チャネルの上で、隣接するセクターにおけるモバイル・デバイスに、セクター間制御メッセージを伝えさせるための第３のコード・セットとを含むコンピュータ読み取り可能な記憶媒体。
【請求項１９】
前記コンピュータ・プログラムは、前記コンピュータに、前記メッセージ伝送資源を分割する前に、資源のセットを予約させるための第４のコード・セットを更に含む請求項１８のコンピュータ読み取り可能な記憶媒体。
【請求項２０】
前記第２の再利用パターンは、単一の周波数再利用である、請求項１８のコンピュータ読み取り可能な記憶媒体。
【請求項２１】
前記セクター間制御メッセージのために伝送されるシンボルは、パイロット・シンボル及びデータ・シンボルを含む請求項１８のコンピュータ読み取り可能な記憶媒体。
【請求項２２】
前記メッセージ伝送資源のセットは、時間資源、周波数資源、符号空間資源又は電力資源のうちの１つである請求項１８のコンピュータ読み取り可能な記憶媒体。
【請求項２３】
セクター間制御ビットを送信するように構成された少なくとも一つのプロセッサにおいて、
前記メッセージ伝送資源のセットを２つ以上の部分に分割するための第１のモジュールと、ここで、前記部分のうちの一つは、セクター間制御チャネルに割り当てられ、少なくとも一つの異なる部分は、前記セクター間制御チャネル以外の少なくとも一つのチャネルに割り当てられる、
個々の再利用パターンを、前記部分のうちの少なくとも二つのそれぞれに割り当てるための第２のモジュールと、ここで、前記セクター間制御チャネルのための第１の再利用パターンは、オーバーラップしない制御資源を隣接するセクターに割り当てるものであり、前記セクター間制御チャネル以外の前記少なくとも一つのチャネルのための第２の再利用パターンは、前記セクター間制御チャネルのための前記再利用パターンとは異なるものである、
前記セクター間制御チャネルのための前記再利用パターンを用いて、前記セクター間制御チャネルの上で、隣接するセクターにおける１又は複数のモバイル・デバイスに、前記セクター間制御メッセージを伝えるための第３のモジュールとを含む少なくとも一つのプロセッサ。
【発明の詳細な説明】
【技術分野】
【０００１】
以下の説明は、一般に無線通信システムに関し、より詳しくはセクター間制御チャネルの伝送に関する。
【背景技術】
【０００２】
多数の通信サービス（例えば、ボイス・サービス、ビデオ・サービス、パケット・データ・サービス、ブロードキャスト・サービス及びメッセージング・サービス並びに他のサービス）を提供するために無線通信システムが配置される。これらのシステムは、利用できるシステム資源を共有することによって多くの端末のための通信をサポートすることができる多元接続システムであることもできる。そのようなマルチアクセス・システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム及び他のシステムを含む。
【０００３】
無線マルチアクセス通信システムは、複数の無線端末のための通信を同時にサポートすることができる。そのようなシステムにおいて、各々の端末は、順方向及び逆方向リンク上での伝送を通して１又は複数のセクターと通信することができる。順方向リンク（又はダウンリンク）は、セクターから端末への通信リンクを指し示し、逆方向リンク（又はアップリンク）は、端末からセクターへの通信リンクを指し示す。これらの通信リンクは、単一入力単一出力（ＳＩＳＯ）システム、多重入力単一出力（ＭＩＳＯ）システム及び／又は多重入力多重出力（ＭＩＭＯ）システムを通して確立されることができる。
【０００４】
複数の端末は、それらの伝送を、時間、周波数及び／又は符号ドメインにおいて互いに直交されるように多重化することによって、逆方向リンク上で同時に送信することができる。伝送間の完全な直交が達成されるならば、各々の端末からの伝送は、受信セクターにおいて他の端末からの伝送に干渉しない。しかし、異なる端末からの伝送間の完全な直交は、チャネルの状態、受信機の不完全性（imperfections）及び他のファクター（例えば、周波数計画的再利用（frequency planned reuse）のオーバーヘッド／困難（difficulty））が原因となって、しばしば実現されない。その結果、端末は、しばしばある量の干渉を他の端末に引き起こす。さらに、異なるセクターと通信している端末からの伝送は一般的に互いに直交していないので、各々の端末はまた、近くのセクターと通信している端末に干渉を引き起す可能性がある。これは、他のセクター中の端末により基地局において引き起こされる干渉を制御する必要をもたらす。
【０００５】
幾つかのシステムでは、割り当てられた全チャネル・バンド幅が、あらゆるセクターにおいて利用される。それは、単一の周波数再利用（frequency reuse of one）と呼ばれる。周波数再利用は、ネットワークにおいて同一の周波数が使用されることができるそのレートを指示する。単一の周波数再利用は、隣接するセクターにおけるユーザをターゲットとするセクター間制御メッセージに関する難題（challenge）を引き起こす。これらの制御メッセージは、干渉制御メッセージ、ハンドオフ・メッセージ及び／又は他のメッセージであることができる。単一の周波数再利用は、例えば、−１５ｄＢ、−２０ｄＢ、−３０ｄＢ又はそれ以下のような、低い信号対干渉比（ＳＩＲ）を提供することができる；特に隣接するセクターにおけるのユーザに対して。しかし、サービング・セクター基地局の受信電力は、より近いＲＦ近接性のために、隣接セクターの基地局の受信電力に比べて非常に大きいので、データは、情報を有するべき全モバイル・デバイスのうちの一部（例えば、エッジ・デバイス、隣接セクターの送信基地局の近くのデバイス）により受信されるだけかもしれない。これは、隣接するセクターにおけるユーザに制御メッセージを送信することに関する難題（challenge）を引き起こす。例えば、隣接するセクター中のユーザが特定の基地局の逆方向リンク上にあまりに多くの干渉を引き起こしている場合に、その基地局は、それらユーザへそれらの送信電力をバックオフするようにシグナルすることを望むことがある。しかし、単一の再利用を使うと、セクター中のより深くにいるユーザは、それらのサービング基地局からあまりに多くの干渉を経験するであろうから、隣接するセクター中のエッジ・ユーザだけは、電力バックオフ制御メッセージを受信することができる場合がある。データを受信するエッジ・モバイル・デバイスは、該メッセージを受信しないデバイスのために過度に補償するかもしれなず、さらに、該メッセージを受信しないユーザは、隣接するセクターに対してあまりに多くの干渉を引き起こす電力レベルで送信することを続けるかもしれない。このように、制御メッセージに関するパフォーマンス及びカバレージは、少しも理想的でないかもしれない。
【０００６】
従来のシステムにおいて、他セクター制御メッセージ（other-sector control message）は、干渉情報（例えば、干渉の量）を送信するために、及び、他の目的のために（ハンドオフ、セクター間干渉を管理するためのセクター間電力制御、セクター負荷（sector loading）又は他の制御メッセージを含む）、利用されることができる。伝統的なアプローチは、各々のセクターから制御メッセージを送信し、非常に低いスペクトル効率をターゲットとすることである（該メッセージが、隣接するセクターにおいて非常に低い信号対雑音比（ＳＮＲ）で復号可能であるように）。スペクトル効率は、所定のバンド幅の上で送信されることができる情報の量であり、また、制限された周波数スペクトルが如何に効率的に利用されるかという基準（measure）である。これは、隣接するセクターになお全面的に（all the way）到達するわけではないこれらの他セクター制御メッセージのために、多くのシステム資源を利用することをもたらす。このように、より少ない資源を利用し、隣接するセクター中の深くにいるユーザをターゲットとすることができる他セクター制御伝送技術のための技術が必要とされる。
【発明の概要】
【０００７】
以下は、そのような態様の基本的な理解を提供するために、１又は複数の態様の簡略化された概要を示す。この概要は、すべての予期される態様の外延的な概要ではなく、また、すべての態様の鍵となる又は重要な要素を特定することも、一部又は全部の態様の範囲を線引きすることも意図されていない。その唯一の目的は、後で示されるより詳しい説明に対する前置きとして、１又は複数の態様の幾つかの概念を簡略化された形で示すことである。
【０００８】
１又は複数の態様及びその対応する開示に従って、様々な態様が、ブロック周波数ホッピングの形でのパイロットとの統計的多重化を利用するセクター間制御メッセージの送信に関連して説明される。開示された態様の１又は複数は、セクター間制御チャネルの利用を通して、支配的な（dominant）干渉を統計的に軽減することができる。
【０００９】
一つの態様は、１又は複数のセクター間制御メッセージを送信するための方法に関係する。前記方法は、制御チャネル資源のセットを２つ以上の部分に分割することと、前記２つ以上の部分の各々を、縮小再利用パターン又は非再利用パターンに置くことを含む。前記方法はまた、前記計画的再利用パターンのうちの一つのパターンの間に、制御メッセージを送信することを含む。
【００１０】
他の態様は、メモリ及びプロセッサを含む無線通信装置に関係する。前記メモリは、制御チャネル資源のセットを２つ以上の部分に分割することと、前記２つ以上の部分の各々を、縮小再利用パターン又は非再利用パターンに置くことと、前記再利用パターンのうちの一つのパターンの間に、制御メッセージを送信することに関係するインストラクションを保持する。前記プロセッサは、前記メモリに接続され、前記メモリ中に保持された前記インストラクションを実行するように構成される。
【００１１】
更なる態様は、１又は複数のセクター間制御メッセージを送信する無線通信装置に関係する。無線通信装置は、制御チャネル資源を２つ以上のセグメントに分割するための手段と、前記２つ以上のセグメントの各々を、縮小再利用パターン又は非再利用パターンに置くための手段とを含む。無線通信装置にはまた、隣接するセクターにおけるモバイル・デバイスに、前記制御メッセージを伝えるための手段が含まれる。該制御メッセージは、前記縮小再利用パターン又は前記非再利用パターンを使用して伝えられる
さらにもう一つの態様は、コンピュータ読み取り可能な媒体を含むコンピュータ・プログラム製品に関係する。コンピュータ読み取り可能な媒体は、コンピュータに、制御チャネル資源を２つ以上のセグメントに分割させるための第１のコード・セットと、前記コンピュータに、前記２つ以上のセグメントの各々を、縮小再利用パターン又は非再利用パターンに置くための第２のコード・セットとを含む。前記コンピュータ読み取り可能な媒体は、前記コンピュータに、隣接するセクターにおけるモバイル・デバイスに、前記制御メッセージを伝えさせるための第３のコード・セットを更に含む。該制御メッセージは、前記縮小再利用パターン又は前記非再利用パターンを使用して伝えられる。
【００１２】
他の態様は、セクター間制御ビットを送信するように構成された少なくとも一つのプロセッサに関係する。前記プロセッサは、制御チャネル資源のセットを割り当てるための第１のモジュールと、前記制御チャネル資源のセットを２つ以上のセグメントに分割するための第２のモジュールとを含む。さらに、前記プロセッサは、前記２つ以上のセグメントの各々を、縮小再利用パターン又は非再利用パターンに置くための第３のモジュールと、隣接するセクターにおける１又は複数のモバイル・デバイスに、前記２つ以上のセグメントを含む制御メッセージを伝えるための第４のモジュールとを含む。該２つ以上のセグメントの各々は、前記隣接するセクターがオーバーラップしない制御資源を使用するように、前記縮小再利用パターン又は前記非再利用パターンに置かれる。
【００１３】
他の態様は、ランダム統計的平均を利用してセクター間ブロードキャスト制御チャネルを送信する方法に関係する。前記方法は、制御チャネル資源のセットを複数のサブセットに分割することと、前記サブセットのうちの少なくとも一つを、ランダムに又は疑似ランダムに選択することを含む。前記方法はまた、前記選択されたサブセットを含む制御チャネルを、隣接するセクターにおけるデバイスへ送信することを含む。
【００１４】
更なる態様は、メモリ及びプロセッサを含む無線通信装置に関係する。前記メモリは、制御チャネル資源のセットを２以上のサブセットに分割することと、前記サブセットのうちの少なくとも一つを、ランダム又は疑似ランダムな方法で選択することと、前記選択されたサブセットを含む制御チャネルを、隣接するセクターにおけるデバイスへブロードキャストすることに関係するインストラクションを保持する。前記プロセッサは、前記メモリに接続され、前記メモリ中に保持された前記インストラクションを実行するように構成される。
【００１５】
さらに他の態様は、ランダム統計的平均を利用してセクター間制御チャネルを送信する無線通信装置に関係する。前記無線通信装置は、制御チャネル資源のセットを２以上のサブセットに分割するための手段と、前記サブセットのうちの少なくとも一つを、ランダム又は疑似ランダムな方法で選択するための手段とを含む。前記無線通信装置にはまた、前記選択されたサブセットを、隣接するセクターにおけるデバイスへ伝えるための手段が含まれる。該選択されたサブセットは、制御チャネルに含まれる。
【００１６】
さらにもう一つの態様は、コンピュータに、制御チャネル資源のセットを２以上のサブセットに分割させるための第１のコード・セットを含むコンピュータ読み取り可能な媒体を含むコンピュータ・プログラム製品に関係する。前記コンピュータ読み取り可能な媒体はまた、前記コンピュータに、前記サブセットのうちの少なくとも一つを、ランダム又は疑似ランダムな方法で選択させるための第２のコード・セットと、前記選択されたサブセットを、隣接するセクターにおけるデバイスへ伝えさせるための第３のコード・セットとを含む。該選択されたサブセットは、制御チャネルに含まれる。
【００１７】
更なる態様は、ランダム統計的平均を利用してセクター間ブロードキャスト制御チャネルを送信するように構成された少なくとも一つのプロセッサに関係する。前記プロセッサは、制御チャネル資源のセットを割り当てるための第１のモジュールと、前記制御チャネル資源のセットを２つ以上のサブセットに分割するための第２のモジュールとを含む。前記プロセッサはまた、疑似ランダム・シーケンスに応じて、前記サブセットのうちの少なくとも一つを選択するための第３のモジュールと、前記制御チャネルにおける前記選択されたサブセットを、隣接するセクターにおけるデバイスへ送信するための第４のモジュールとを含む。前記疑似ランダム・シーケンスは、基地局間のシグナリングに基づく。該シグナリングは、無線上又はバックホール・チャネル上にある。
【００１８】
さらに他の態様は、統計的再利用で送信されるセクター間制御チャネルを受信するための方法に関係する。前記方法は、隣接するセクターにおける基地局から制御チャネルを受信することと、前記受信された制御チャネルにおける資源のサブセットを検出することを含む。前記方法はまた、前記資源のサブセットのうちの一つの資源に含まれるブロードキャスト制御メッセージを識別することを含む。
【００１９】
さらにもう一つの態様は、メモリ及びプロセッサを含む無線通信装置に関係する。前記プロセッサは、前記メモリに接続され、前記メモリ中に保持されたインストラクションを実行するように構成される。前記メモリは、隣接するセクターにおける基地局から制御チャネルを受信することと、前記受信された制御チャネルにおける資源のサブセットを検出することと、前記資源のサブセットのうちの一つの資源に含まれるブロードキャスト制御メッセージを識別することに関係するインストラクションを保持する。
【００２０】
更なる態様は、統計的再利用で送信されるセクター間制御チャネルを受信する無線通信装置に関係する。前記無線通信装置は、隣接するセクターにおける基地局により送信される制御チャネルを受信するための手段と、前記受信された制御チャネルにおける資源のサブセットを識別するための手段とを含む。前記無線通信装置にはまた、前記資源のサブセットのうちの一つの資源に含まれる制御メッセージを識別するための手段が含まれる。
【００２１】
さらにもう一つの態様は、コンピュータに、隣接するセクターにおける基地局により送信される制御チャネルを受信させるための第１のコード・セットを含むコンピュータ読み取り可能な媒体を含むコンピュータ・プログラム製品に関係する。前記コンピュータ読み取り可能な媒体はまた、前記コンピュータに、前記受信された制御チャネルにおける資源のサブセットを識別させるための第２のコード・セットと、前記コンピュータに、前記資源のサブセットのうちの一つの資源に含まれる制御メッセージを識別させるための第３のコード・セットとを含む。
【００２２】
さらに他の態様は、統計的再利用で送信されるセクター間制御チャネルを受信するように構成された少なくとも一つのプロセッサに関係する。前記プロセッサは、隣接するセクターにおける基地局から制御チャネルを受信するための第１のモジュールと、前記受信された制御チャネルにおける資源のサブセットを、疑似ランダム・シーケンスについての知識に基づいて検出するための第２のモジュールとを含む。前記プロセッサはまた、前記資源のサブセットのうちの一つの資源に含まれるブロードキャスト制御メッセージを識別するための第３のモジュールを含む。
【００２３】
前述の目的及び関係する目的の達成のために、１又は複数の態様は、以下に十分に説明され、特に特許請求の範囲において指摘された特徴を包含する。以下の説明及び添付された図面は、１又は複数の態様の幾つかの説明的な特徴を説明する。これらの特徴は、しかし、様々な態様の原理が使用されることのできる様々な方法のうちのほんの数例を示す。図面とともに考慮されるとき、他の利点及び新しい特徴は、以下の詳細な説明から明らかになるであろう。また、開示された態様は、すべてのそのような態様及びそれらの均等物を含むことが意図される。
【図面の簡単な説明】
【００２４】
【図１】図１は、１又は複数の態様に従って多元接続無線通信システムを示す。
【図２】図２は、本明細書で示される態様に従ってセクター間制御ビットの通信のための多元接続無線通信システムの他の表現を示す。
【図３】図３は、一つの態様に従って計画的周波数再利用を利用するセクター間制御ビットを送信するシステムを示す。
【図４】図４は、一つの態様に従って統計的周波数再利用を利用するセクター間制御ビットを送信するシステムを示す。
【図５】図５は、一つの態様に従ってランダム統計的平均を利用して送信されたセクター間制御ビットを受信するシステムを示す。
【図６】図６は、様々な態様に従って計画的周波数再利用を利用してセクター間制御メッセージを送信するための方法を説明する。
【図７】図７は、一つの態様に従ってランダム統計的平均を利用してセクター間制御メッセージを送信するための方法を示す。
【図８】図８は、一つの態様に従って統計的再利用を利用して送信されたセクター間制御チャネルを受信するための方法を示す。
【図９】図９は、開示された態様の１又は複数に従ってセクター間制御チャネルを受信するのを容易にするシステムを示す。
【図１０】図１０は、開示された態様の１又は複数に従ってセクター間制御チャネルを送信するのを容易にするシステムを示す。
【図１１】図１１は、開示された態様で利用されることができる例示的な無線通信システムを示す。
【図１２】図１２は、１又は複数のセクター間制御ビットを送信する例示的なシステムを示す。
【図１３】図１３は、ランダム統計的平均を利用してセクター間制御チャネルを送信する例示的なシステムを示す。
【図１４】図１４は、統計的再利用で送信されたセクター間制御チャネルを受信する例示的なシステムを示す。
【詳細な説明】
【００２５】
これから図面を参照しながら様々な態様が説明される。以下の説明では、説明の目的のために、１又は複数の態様の深い理解を提供するために、多数の特定の細部が説明される。しかし、そのような（１又は複数の）態様が、これらの特定の細部なしで実施され得ることは、明らかであろう。他のインスタンスにおいて、これらの態様を説明するのを容易にするために、良く知られた構造及びデバイスが、ブロック図の形で示される。
【００２６】
この出願において用いられるように、用語“コンポーネント（component）”、“モジュール（module）”、“システム（system）”及び同類のものは、コンピュータ関連のエンティティーである、ハードウェア、ファームウェア、ハードウェアとソフトウェアの組み合わせ、ソフトウェア又は実行中のソフトウェアのいずれをも指すことを意図されている。例えば、コンポーネントは、プロセッサ上で動作するプロセス、プロセッサ、オブジェクト、実行ファイル（executable）、実行のスレッド、プログラム、及び／又は、コンピュータであっても良い（ただし、これらに制限されるものではない）。例として、コンピュータデバイス上で動作するアプリケーションと、そのコンピュータデバイスの両方とも、コンポーネントであることができる。１又は複数のコンポーネントがプロセス及び／又は実行のスレッドの内部に存在しても良く、また、一つのコンポーネントが一つのコンピュータに局在し及び／又は２以上のコンピュータ間に分散されることができる。加えて、これらコンポーネントは、様々なデータ構造を記録した様々なコンピュータ読み取り可能な媒体から実行することができる。それらコンポーネントは、例えば、１又は複数のデータパケット（例えば、その信号を経由して、ローカルシステムにおいて、分散システムにおいて及び／又は例えば他のシステムをともなうインターネットのようなネットワークを横切って、他のコンポーネントとインタラクトする、一つのコンポーネントからのデータ）を持つ信号に従うような、ローカルプロセス及び／又はリモートプロセスを経由して、通信しても良い。
【００２７】
さらにまた、モバイル・デバイスに関連して様々な態様が本明細書で説明される。モバイル・デバイスは、システム、加入者ユニット、加入者設備、モバイル局、モバイル、無線端末、デバイス、リモート局、リモート端末、アクセス端末、ユーザ端末、端末、無線通信デバイス、無線通信装置、ユーザ・エージェント、ユーザ・デバイス又はユーザ装置（ＵＥ）とも呼ばれることができる。また、システム、加入者ユニット、加入者設備、モバイル局、モバイル、無線端末、デバイス、リモート局、リモート端末、アクセス端末、ユーザ端末、端末、無線通信デバイス、無線通信装置、ユーザ・エージェント、ユーザ・デバイス又はユーザ装置（ＵＥ）の機能性の一部又は全部を含み得る。モバイル・デバイスは、セルラー電話、コードレス電話、セッション開始プロトコル（ＳＩＰ）電話、スマートフォン、ワイヤレスローカルループ（ＷＬＬ）局、携帯情報端末（ＰＤＡ）、ラップトップ、ハンドヘルド通信デバイス、ハンドヘルド・コンピュータデバイス、衛星ラジオ、無線モデムカード及び／又は、無線システム上で通信するための他の処理デバイスであっても良い。さらに、基地局に関連して様々な態様が本明細書で説明される。基地局は、（１又は複数の）無線端末と通信するために利用されても良い。また、基地局は、アクセスポイント、Ｎｏｄｅ Ｂ又は何らかの他のネットワーク・エンティティーと呼ばれることもある。また、基地局は、アクセスポイント、Ｎｏｄｅ Ｂ又は何らかの他のネットワーク・エンティティーの機能性の一部又は全部を含み得る。
【００２８】
幾つかのデバイス、コンポーネント、モジュールなどを含み得るシステムに関して様々な態様又は特徴が示される。様々なシステムは、更なるデバイス、コンポーネント、モジュールなどを含んでも良く、及び／又は、図面に関連して述べられたデバイス、コンポーネント、モジュールなどのすべては含まなくても良いことは、理解及び認識されるべきである。また、これらのアプローチの組み合せが使用されても良い。
【００２９】
さて、図１を参照して、１又は複数の態様に従って多元接続無線通信システム１００が説明される。無線通信システム１００は、１又は複数のユーザ・デバイスと交信する１又は複数の基地局を含むことができる。各々の基地局は、複数のセクターのためのカバレージを提供する。複数のアンテナ・グループ（一つのグループは、アンテナ１０４と１０６を含み、他のグループは、アンテナ１０８と１１０を含み、第３のグループは、アンテナ１１２と１１４を含む）を含む３セクターの基地局１０２が示される。図によれば、各々のアンテナ・グループについて２つのアンテナだけが示されているが、各々のアンテナ・グループについて、より多くのアンテナ又はより少ないアンテナが利用されても良い。モバイル・デバイス１１６は、アンテナ１１２及び１１４と通信する。ここで、アンテナ１１２及び１１４は、順方向リンク１２０上でモバイル・デバイス１１６に情報を送信し、逆方向リンク１１８上でモバイル・デバイス１１６から情報を受信する。順方向リンク（又はダウンリンク）は、基地局からモバイル・デバイスへの通信リンクを指し示し、逆方向リンク（又はアップリンク）は、モバイル・デバイスから基地局への通信リンクを指し示す。モバイル・デバイス１２２は、アンテナ１０４及び１０６と通信する。ここで、アンテナ１０４及び１０６は、順方向リンク１２６上でモバイル・デバイス１２２に情報を送信し、逆方向リンク１２４上でモバイル・デバイス１２２から情報を受信する。
【００３０】
各々のアンテナのグループ及び／又はそれらが通信するために指定されるエリアは、基地局１０２のセクターと呼ばれることがある。１又は複数の態様において、アンテナ・グループは、それぞれ、基地局１０２によりカバーされるセクター又はエリアにおけるモバイル・デバイスと通信するようにデザインされる。基地局は、端末と通信するために使用される固定局であっても良い。
【００３１】
本明細書で示される様々な態様に従って、隣接するセル（図示せず）にいて他の基地局（図示せず）によりサービスされるモバイル・デバイスは、基地局１０２及び／又はそれがサービスしているモバイル・デバイス（例えば、モバイル・デバイス１１６，１２２）に対する干渉を引き起こす可能性がある。この干渉は、隣接するセルにおけるモバイル・デバイスがそのサービング基地局に送信している逆方向リンク上で生じる可能性がある。干渉を軽減するために、基地局１０２は、本明細書で開示され、以下で詳細に説明される態様に従って、計画的周波数再利用（planned frequency reuse）、統計的再利用（statistical reuse）、縮小再利用パターン（reduced reuse pattern）及び／又は非再利用パターン（no reuse pattern）を利用して、セクター間制御メッセージを送信することができる。本明細書で使用される用語“セル”は、その用語が使用される文脈（context）に従って、基地局又はそのカバレージエリアを指し示す。干渉に関係する様々な例が提供されるが、開示された態様はそのように制限されるものではなく、セクター間制御チャネルは、他のタイプの情報（例えば、アクセス制御、電力制御、システム制御、シグナリング、その他）を伝えるために利用されることができることは理解されるべきである。幾つかの態様に従って、単一の周波数が利用されることができるが、データ・チャネルがそれらの上に他の再利用ファクターを有する場合に、開示された態様が適用されることができ、また、開示された態様は、再利用ファクターを更に増やすことができる。
【００３２】
図２は、本明細書で示される態様に従って、セクター間制御ビットの通信のための多元接続無線通信システム２００を示す。システム２００は、隣接するセクターにおけるモバイル・デバイスにより受信されることができる制御メッセージの伝送を容易にすることができ、一方、伝統的なシステム上に改善されたパフォーマンス及び範囲を提供する。システム２００は、ネットワーク計画なしで、セクター間制御チャネルのために大幅に干渉制限（interference limited）されたユーザについて支配的な干渉源を更に軽減することができる。
【００３３】
セクタライズされたセルについて、そのセルの全セクターに関するアクセスポイント群は、一般的に、そのセルのための基地局内で同一場所に配置される（co-located）。本明細書で説明されるセクター間チャネル・ビット伝送技術は、セクタライズされたセルをもつシステム及びセクタライズされていないセルをもつシステムのために使用され得る。この説明において、用語“セクター”は、セクタライズされたセルをもつシステムに関する従来の基地局及び／又はそのカバレージエリア、及び／又は、セクタライズされていないセルをもつシステムに関する従来の基地局及び／又はそのカバレージエリアを指し示す。用語“モバイル・デバイス”（又は同種の他のもの）及び“ユーザ”は互換的に使用されることがあり、同様に、用語“セクター”及び“基地局”は互換的に使用されることがある。サービング基地局／セクターは、端末が通信する基地局／セクターである。隣接する（neighbor）（又は隣接する（adjacent））基地局／セクターは、端末が通信していない基地局／セクターである。
【００３４】
セクター間チャネル・ビット伝送技術はまた、様々なマルチアクセス通信システムのために使用されても良い。例えば、これらの技術は、符号分割多元接続（ＣＤＭＡ）システム、周波数分割多元接続（ＦＤＭＡ）システム、時分割多元接続（ＴＤＭＡ）システム、直交周波数分割多元接続（ＯＦＤＭＡ）システム、インターリーブ（interleaved）（ＩＦＤＭＡ）システム、ローカライズ（localized）ＦＤＭＡ（ＬＦＤＭＡ）システム、空間分割多元接続（ＳＤＭＡ）システム、準直交多元接続システム、その他のために、使用されても良い。ＩＦＤＭＡは、分散ＦＤＭＡ（distributed FDMA）とも呼ばれ、ＬＦＤＭＡは、狭帯域ＦＤＭＡ（narrowband FDMA）又は古典的ＦＤＭＡ（classical FDMA）とも呼ばれる。
【００３５】
更に詳細に、多元接続無線通信システム２００は、複数のセル（セル２０２，２０４及び２０６として図示されている）を含む。図２において、各々のセル２０２，２０４及び２０６は、複数のセクターを含む基地局２０８，２１０及び２１２を含むことができる。複数のセクターは、セルの一部におけるアクセス端末との通信にそれぞれ責任を有する（responsible）複数のアンテナのグループによって形成される。セル２０２において、アンテナ・グループ２１４，２１６及び２１８は、それぞれ、異なるセクターに対応する。セル２０４において、アンテナ・グループ２２０，２２２及び２２４は、それぞれ、異なるセクターに対応する。セル２０６において、アンテナ・グループ２２６，２２８及び２３０は、それぞれ、異なるセクターに対応する。
【００３６】
各々のセルは、幾つかのモバイル・デバイスを含む。それらは、各々の基地局の１又は複数のセクターと通信するアクセス端末として説明される。モバイル・デバイスは、一般的にシステム全体にわたって分散し、各々の端末は、固定されたものであることも、モバイルであることもできる。端末は、いかなる瞬間でも、順方向及び逆方向リンクの上で、１又は複数の基地局と通信することができ、あるいは、通信しないこともできる。例えば、アクセス端末２３２，２３４，２３６及び２３８は、基地局２０８と通信しており、アクセス端末２４０，２４２及び２４４は、アクセスポイント２１０と通信しており、アクセス端末２４６，２４８及び２５０は、アクセスポイント２１２と通信している。
【００３７】
セル２０４中に示されるように、例えば、各々のアクセス端末２４０，２４２及び２４４は、同一のセルにおいて、互いに他のアクセス端末とは異なるそれぞれのセルの部分に位置する。さらに、各々のアクセス端末２４０，２４２及び２４４は、それが通信している対応するアンテナ・グループから異なる距離である可能性がある。これらのファクターの両方とも、各々のアクセス端末と、それが通信しているその対応するアンテナ・グループと間に異なるチャネル状況が存在する原因となる、状況（セルにおける環境及び他の状況にも起因する）を提供する。
【００３８】
コントローラ２５２は、セル２０２，２０４及び２０６の各々に接続され、それぞれの基地局に関する調整及び制御を提供する。コントローラ２５２は、単一のネットワーク実体又はネットワーク実体の集合であることができる。分散アーキテクチャーの場合にて、基地局は、必要に応じて互いに通信することができる。コントローラ２５２は、多元接続無線通信システム２００のセルと通信するアクセス端末への及びからの情報を提供する、複数のネットワーク（インターネット、他のパケットベースのネットワーク又は回路交換ボイス・ネットワーク（circuit switched voice networks））への１又は複数のコネクションを含むことができる。コントローラ２５２は、アクセス端末からの及びへの伝送をスケジュールするスケジューラを含み、又は、それに接続される。幾つかの実施形態において、スケジューラは、各々の個々のセルに、セルの各々のセクターに、又は、それらの組み合せに、存在することができる。
【００３９】
図２は、物理セクター（例えば、異なるセクターのために異なるアンテナ・グループを有する）を表すが、他のアプローチが利用されることができる点に留意されるべきである。例えば、複数の固定された“ビーム”（それは、それぞれ、周波数空間においてセルの異なるエリアをカバーする）の利用は、物理セクターの代わりに又は物理セクターと組み合わせて、利用されることができる。
【００４０】
幾つかの態様に従って、特定のセル中のアクセス端末は、そのセルに関連する基地局と通信しても良く、そして、実質的に同一の時刻において、隣接するセルに関連する基地局（及び／又はモバイル・デバイス）に対して干渉を引き起こす可能性がある。例えば、アクセス端末２３２が逆方向リンク上でそのサービング基地局２０８と通信するとき、その通信はまた、アクセスポイント２１０により受信されるかもしれない。これは、アクセスポイント２１０及び／又はそれがサービスしているモバイル・デバイスに対するセクター間干渉（他セクター干渉（other sector interference）（ＯＳＩ）とも呼ばれる）を引き起こす可能性がある。同様の方法で、アクセス端末２４８からの通信は、アクセスポイント２１０及び２１２により受信されるかもしれず（例えば、干渉）、また、アクセス端末２５０からの通信は、アクセスポイント２０８及び２１２により受信されるかもしれない（例えば、干渉）、などである。経験される干渉を軽減しようとして、基地局２１０は、例えば、干渉を引き起こしているモバイル・デバイス、及び、基地局２１０により送信される信号を受信することができる他のモバイル・デバイスに、制御情報を含む１又は複数のセクター間制御ビットを送信することができる。さらに、セクター間制御チャネルは、ハンドオフ情報、及び、隣接するセル中のモバイル・デバイスにとって有用かもしれない他の情報を提供するために、利用されることができる。様々な態様に従って、セクター間制御チャネルを伝えることに関する詳しい情報が、以下で更に詳細に説明される。
【００４１】
図３は、一つの態様に従って、計画的周波数再利用を利用してセクター間制御ビットを送信するシステム３００を示す。伝送は、多数の目的のために隣接するセクター中のデバイスにより受信されることができる制御チャネルを含むことができる。例えば、制御チャネルは、ブロードキャスト伝送について、ハンドオフ、システム・パラメータ、セクター負荷、干渉の量の表示、セクター間干渉を管理するためのセクター間電力制御に関係する情報、又は、他の情報を含むことができる。
【００４２】
隣接するセクターにおいてメッセージが非常に低いＳＮＲで復号可能になるように、幾つかの従来のシステムは、各々のセクターからメッセージを送信し、また、非常に低いスペクトル効率をターゲットとする。そのようなシステムは、周波数バンド幅にわたってデータに共通である周波数再利用を利用する。システム３００は、時間−周波数資源の再利用を可能にすることを計画するシステムを利用することができる。
【００４３】
システム３００は、チャネルを通してデータを送信していることが示される無線通信装置３０２を含む。データを送信するものとして示されるが、無線通信装置３０２はまた、チャネルを通してデータを受信することができる（例えば、無線通信装置３０２は、実質的に同一の時刻に、データを送信及受信することができ、異なる時刻に、無線通信装置３０２は、データを送信及び受信することができ、又は、それらの組み合せである）。無線通信装置３０２は、例えば、基地局（例えば図１の基地局１０２，…）であることができる。
【００４４】
無線通信装置３０２には、メッセージを送信するための資源のセットを識別する資源計画器（resource planner）３０４が含まれる。識別された資源のセットは、蓄えておかれる（set aside）ことができ、又は、メッセージ伝送に割り当てられることができる。資源のセットは、時間資源、周波数資源、符号空間資源、電力資源又は他のシステム資源を含むことができる。資源のセットがメッセージに割り当てられた後に、資源分割器（resource partitioner）３０６は、識別された資源のセットを分割する。例えば、識別された資源のセットは、ｎ個のパーティションに分割されることができる。ここで、ｎは整数であり、各々のパーティションは、１又は複数の資源を含む。
【００４５】
再利用パターン指定器（reuse pattern designator）３０８は、分割された識別された資源のセットを再利用パターンに割り当て、送信機３１０は、隣接するセクター中のデバイスにチャネル上で制御メッセージを送信する。制御メッセージは、縮小再利用パターン又は非再利用パターンを利用して送信されることができる。伝送は、パイロット・シンボル及びデータ・シンボルの混成（mixture）を含みまた、隣接するセクター中のモバイル・デバイスに向けられる。
【００４６】
幾つかの態様に従って、隣接するセクター（例えば、隣接する基地局）がオーバーラップしない制御チャネル資源を利用するように、制御チャネル資源は、縮小再利用パターンに置かれることができる（例えば、隣接するセルは、異なる周波数を利用している）。隣接するセクターが異なる周波数を利用しているので、干渉するセクター（例えば、同一の周波数を使用する）は、より遠くに離れ、それゆえ、干渉は軽減される。この配置（placement）は、セクター間制御チャネルに関する支配的な干渉源（例えば、ターゲットとされるモバイル・デバイスのサービング・セクター）を軽減することができるので、制御メッセージがターゲットとしている隣接セクター中のモバイル・デバイスのための資源上のＳＮＲを改善することができる。
【００４７】
幾つかの態様に従って、縮小再利用パターン及び／又は非再利用パターンが、予め定義される。例えば、周波数再利用は単一（one）であることができるが、制御チャネルに関連するシンボル時間の間、再利用パターン指定器３０８により判定される周波数再利用（例えば、隣接するセルについて異なる再利用パターン）が、利用される。
【００４８】
制限としてでなく例として、ＵＭＢシステムにおいて、ＯＳＩチャネルは、同時にすべてのセクターで起こるチャネルである。それゆえ、開示された態様に従って、計画的周波数再利用（例えば、縮小再利用、非再利用）は、そのシンボル時間の間、実行されることができる。データの残りは、“単一(1)”の周波数再利用であることができるが、ＯＳＩチャネル・シンボル時間の間、隣接する又は送信基地局から幾つかの段数（１段又は複数段）だけ離れたセクターが異なる周波数を利用している計画的周波数再利用があることができる。この場合、セクターＡ中の基地局がセクターＢに制御情報を送信しようとしているとき、セクターＢ中の基地局は、このシンボル時間の間、情報を送信するためにセクターＡにより利用された周波数と同じ周波数は使用していない。計画的周波数再利用が利用されるので、複数のセクターは同一の周波数を利用しておらず、また、通常、再利用が計画されるので、隣接するセクターは、同一の周波数を使用しない。それゆえ、周囲の基地局（例えば、セクターＡ中の基地局）の周波数は、受信されることができる。それゆえ、より少ない資源を使用することができ且つ他のセクター中に非常により深く透過することができるより頑強なチャネルは、本明細書で開示された計画的再利用技術を通して実現されることができる。
【００４９】
図４は、一つの態様に従って統計的周波数再利用を利用してセクター間制御ビットを送信するシステム４００を示す。システム４００は、セクター間制御チャネルにおいて大幅に制限されたユーザに関する支配的な干渉源を軽減することによって、更なるパフォーマンス改善及びカバレージ増加を提供することができる。さらに、システム４００は、資源ホッピングを利用することによって、資源計画を軽減することができる。資源計画は、同一の周波数を利用している隣接セクターの発生を軽減するために、計画的再利用スキームにおいて必要である。
【００５０】
システム４００は、チャネルを通してデータを送信していることが示される無線通信装置４０２を含む。データを送信するものとして示されるが、無線通信装置４０２はまた、チャネルを通してデータを受信することができる（例えば、無線通信装置４０２は、実質的に同一の時刻に、データを送信及受信することができ、異なる時刻に、無線通信装置４０２は、データを送信及び受信することができ、又は、それらの組み合せである）。無線通信装置４０２は、例えば、基地局（例えば図１の基地局１０２，…）であることができる。
【００５１】
無線通信装置４０２は、資源のセットを制御メッセージの伝送に割り当てる資源計画器（resource planner）４０４を含む。資源のセットは、時間資源、周波数資源、符号空間資源、電力資源又は他のシステム資源を含むことができる。チャネル資源解析器（channel resource analyzer）４０６は、チャネル資源をサブセットに分割する。これらのサブセットは、ｐ個のサブセットに分割されることができる（各々のサブセットは、１又は複数の資源を含む）。ここで、ｐは整数である。幾つかの態様に従って、サブセットは、図３の資源分割器３０６により作成されるパーティションに比べて、バンド幅のより小さな部分であることができる。
【００５２】
チャネル資源選択器（channel resource selector）４０８は、送信機４１０によるチャネル上での伝送のために資源の少なくとも一つのサブセットを選択するように構成される。伝送は、パイロット・シンボル及びデータ・シンボルの混成を含むことができる。ホッピングは、統計的非計画的再利用（statistical unplanned reuse）を提供する。資源セットのサブセットのうちの任意の一つが制御メッセージを含むように、伝送は、２つ以上の選択されたサブセットにわたって冗長性をもって符号化される。
【００５３】
幾つかの態様に従って、資源のサブセットのうちの少なくとも一つは、疑似ランダムな方法で選択される。疑似ランダム・シーケンスは、基地局の間のシグナリングに基づくことができる（ここで、シグナリングは、無線上又はバックホール・チャネル上にある）。例えば、資源のサブセットのランダムな選択の後に、パターンが幾つかの伝送のために固定され、そして、他のランダムな選択が、実行され、幾つかの伝送のために固定されるなどである。伝送の数は、各々のパターンについて同じであることができ、各々のパターンごとに変化することができ、又は、それらの組み合わせである。
【００５４】
他の例において、同様のパターン番号（ＰＮ）生成アルゴリズムが、アクセスポイント及びモバイル・デバイスの両方により利用されることができる。シーケンスは、アクセスポイント・フレーム番号、時間及び／又は他のパラメータ（例えば、アクセスポイント・ブロードキャスト・オーバーヘッド・メッセージに含まれるパラメータ）に基づくことができる。このような方法で、モバイル・デバイスは、いずれのサブセットがアクセスポイントにより利用されるであろうかについて、独立して判定（例えば、計算）することができる。
【００５５】
他の態様に従って、例えば、ランダムな（又は疑似ランダムな）選択は、予め定義されたパターンの間で変化することができ、又は、それは、線形フィードバック・レジスタからのランダムな選択であることができる。幾つかの態様に従って、資源のサブセットは、ランダムに選択され、そのパターンは、（例えば、計画的再利用と同様に）固定されたままである。
【００５６】
他の態様に従って、新しい（ランダムな又は疑似ランダムな）パターンが、各々の伝送について選択されることができる。この態様に従って、ランダムな又は疑似ランダムな選択は、伝送の上に衝突（collision）が存在するならば、次の伝送の上で（異なる（疑似）ランダムな選択を利用して）、同一の資源が衝突する可能性を軽減することができることを、提供する。しかし、パターンが選択され、それから、固定されるならば、１又は複数の資源が衝突するという可能性があり、そして、パターンは固定されるので、それらの同一の資源は、異なるパターンが利用されるまで、衝突するであろう。
【００５７】
幾つかの態様に従って、選択は、ホッピング・パターンを作成するために、決定論的な（deterministic）一連の複数のパターンを利用する。例えば、各々の伝送について、一連の複数のパターンからの次のパターンが、選択される。一連の複数のパターンにおける最後のパターンを利用した後に、最初のパターンが再度利用され、そして、第２のパターンが続くなどである。それゆえ、各々の伝送について、選択が次のパターンの方へ移動し、ランダムであるか又は固定であるかにかかわらず、パターンは、ｘ回ごとに移動することができ（ここで、ｘは整数である）、又は、パターンは、ランダムなオフセットで移動することができ、又は、それらの組み合せである。幾つかの態様に従って、一連の複数のパターンは、アクセスポイント（ＡＰ）タイミング、フレーム・カウント又はそれらの組み合せに基づく。
【００５８】
幾つかの態様に従って、無線通信装置は、他のチャネル（例えばバックホール・チャネル）の上で、隣接するセクターと通信することができる。バックホールは、直接通信している基地局を参照（refers）する。衝突がセクターにより検出されるならば、そのセクターは、その衝突を他のセクターに知らせることができる。チャネル資源選択器４０８は、他のパターンをインテリジェントに選択することができ、又は、衝突情報に基づいてリランダマイズ（re-randomize）することができる。
【００５９】
制限でなく例示の目的で、これからＯＦＤＭＡシステムが説明されるが、開示された態様は他のシステムで利用されることができるが、ＯＳＩは、一つのシンボル時間の間、続くかもしれず、５１２個のサブキャリアが存在する。全５１２のサブキャリア上で制御チャネルを送信することの代わりに、計画的再利用では、５１２のサブキャリアは、例えば、サブキャリアのグループ（例えば８つのグループ）に分割される。計画的再利用シナリオでは、第１のサブキャリアのサブセットは、第１のセクターに割り当てられ、第２のサブキャリアのサブセットは、第２のセクターに割り当てられ、第３のサブキャリアのサブセットは、第３のセクターに割り当てられるなどである。
【００６０】
上記の例を続けて、ランダム統計的平均では、各々のＯＳＩごとに、サブキャリアのセットがランダムに選択される。それは、疑似ランダムな方法で選択されることができる。サブキャリアのセットが選択され、冗長な情報が送信される。モバイル・デバイスがサブキャリアのいずれかを復号化することができるならば、該モバイル・デバイスは、ＯＳＩＣＨメッセージを検出することができる。例えば、セクター１は、サブキャリア１，２２及び３８を選択し、セクター２は、サブキャリア１，２２及び５０を選択する。モバイル・デバイスがセクター２にあり、サブキャリア１と２２が衝突するならば、モバイル・デバイスは、それらのサブキャリアを受信しない。しかし、衝突が存在しないので、モバイル・デバイスは、首尾良くサブキャリア３８を受信する。選択が各々の伝送についてランダムであるならば、たとえ全３つのサブキャリアが衝突するとしても、次の伝送ですべてのサブキャリア上で他の衝突が存在するであろう可能性（probability）は低い。
【００６１】
制限としてではなく例として、以下は、５１２個のサブキャリアをもつＯＦＤＭＡブロードキャスト制御シンボルに関するランダム統計的平均の実現である。この例では、各々のセクターは、３２のサブキャリアを選択する。そして、それは、８つのサブキャリアからなる複数のグループにおいてランダムにホップする。８つのサブキャリアかならる各々のグループは、パイロット・シンボル及びデータ・シンボルの混成を含む。パイロットは、干渉推定のために利用されることができる。４つの８サブキャリア・セットのうちの任意の一つが、ブロードキャスト制御メッセージを含むように、制御チャネルは、冗長性をもって符号化される。受信機（例えば、アクセス端末）は、８サブキャリア・セットの各々に関する干渉を推定するためにパイロットを利用する。受信機は、十分に高いＳＮＲをもつセットを選択する。隣接するセクターの内部深くにいる受信機（例えば、非エッジ・ユーザ）について、全４つの８サブキャリア・セットが、アクセス端末のサービング・セクターからの４セットとオーバーラップする確率は低い。
【００６２】
図５は、干渉推定のための統計的再利用においてパイロットを利用するシステム５００を示す。統計的再利用は、セクター間制御チャネルについて大幅に干渉制限されたユーザに関する支配的な干渉源を軽減することによって、伝統的なシステム上にパフォーマンス及びカバレージ増加を提供することができる。統計的再利用はまた、ネットワーク計画の必要を軽減することができる。そして、それは、アドホックなネットワークに役立つことができる。
【００６３】
システム５００は、チャネルを通してデータを送信していることが示される無線通信装置５０２を含む。データを送信するものとして示されるが、無線通信装置５０２はまた、チャネルを通してデータを受信することができる（例えば、無線通信装置５０２は、実質的に同一の時刻に、データを送信及受信することができ、異なる時刻に、無線通信装置５０２は、データを送信及び受信することができ、又は、それらの組み合せである）。無線通信装置５０２は、例えば、モバイル・デバイス（例えば図１のモバイル・デバイス１１６，１２２，…）であることができる。幾つかの態様に従って、無線通信装置５０２は、バックホール上で通信する基地局である。
【００６４】
無線通信装置５０２は、ランダム統計的平均を利用して送信された制御ビットを含む信号を受信する。復調器（demodulator）５０４は、受信された複数のチャネルのサブセットを復調するように構成される。資源のサブセットは、制御メッセージの送信のために割り当てられた資源のセットの一部である。資源のサブセットは、時間資源、周波数資源、符号空間資源及び／又は電力資源を含む。この複数のチャネルのサブセットは、ランダム又は疑似ランダムな方法（例えば、統計的再利用に基づく）で基地局（例えば、図４の無線通信装置５０２）により選択されるサブセットである。この態様によれば、復調器５０４は、全ＯＳＩＣＨを復調する必要はない（サブセットのみ）。例えば、復調は、８つのサブキャリアからなるセットの上であることができる（ここで、第１のサブキャリアがパイロット信号である）。
【００６５】
送信される信号は、パイロット・シンボル及びデータ・シンボルの混成を含むことができる。資源セット検出器（resource set detector）５０６は、同時に（together）ランダムにホップする受信信号の中でサブキャリア（例えば、資源）のサブセットを識別するように構成される。資源のサブセットは、疑似ランダム・シーケンスについての知識に基づいて検出されることができる。例えば、セクターが伝送のために３２個のサブキャリアを選択したならば、３２個のサブキャリアは、８つのサブキャリアからなる複数のグループにおいてホップすることができる。
【００６６】
制御メッセージ識別器（control message identifier）５０８は、制御メッセージを含む検出された資源のサブセットの中で、１又は複数のサブキャリアを識別することができる。４つの８サブキャリア・セットのうちの任意の一つが、上記の例の場合のように、制御メッセージを含むように、１又は複数のサブキャリアは、冗長性をもって符号化される制御チャネルであることができる。
【００６７】
制御メッセージに含まれる情報は、無線通信装置５０２により選択的に利用される。例えば、複数のパイロットが、複数の８サブキャリア・セットの各々の上で干渉を推定するために利用されることができ、十分に高いＳＮＲをもつセットが選択されることができる。隣接するセクターの内部深くにいるユーザについて、全４つの８サブキャリア・セットが、ユーザのサービング・セクターからの４セットとオーバーラップする可能性は低い。
【００６８】
他の例では、無線通信装置５０２は、（例えば第１のセクターから）受信された異なるサブセットを解析することができ、推定信号強度を判定することができる。例えば、パイロット強度推定器（図示せず）は、そのサブキャリアのセットの上のＳＩＲ及び信号シェア比（signal share ratio）を判定することができる。例えば、３つのサブセットがあるならば、最良のサブセットは、一つの基準又は基準の組み合せ（例えば、信号の強度、検出された干渉の量、その他）に基づいて、選択されることができる。幾つかの態様に従って、受信されたサブセットは、異なるサブキャリアの相対的な強度に基づいて、インテリジェントに結合されることができる。受信された他のチャネル（例えばブロードキャスト制御チャネルでない）は“単一”の再利用を利用するかもしれず、それゆえ、衝突がそれらのチャネルの上に存在する可能性がある点に留意されるべきである。
【００６９】
セクター間干渉は、本明細書で開示される制御チャネル伝送を使用して制御されても良い。この制御メッセージは、干渉の隣接するセクターにおけるモバイル・デバイスに知らせることができ、そして、セクター間干渉が許容レベル内に維持されることができるように、各々のデバイスは、それに応じて、その送信電力を調整することができる。
【００７０】
幾つかの態様に従って、無線通信装置５０２は、２つ以上の資源のサブセットを受信し、そして、制御メッセージを得るために、資源のサブセットを合同で（jointly）復号化する。合同の復号化は、複数のサブセットに含まれる複数のパイロット・シンボルに基づくことができる。
【００７１】
上記で図示及び説明された例示的なシステムを考慮して、開示された主題に従って実装され得る手順が、以下のフローチャートを参照して、よりよく認識されるであろう。説明を簡単にする目的で、手順が一連のブロックとして図示され説明されるが、手順は、ブロックの数及び順序により制限されるものではなく、いくつかのブロックが、本明細書で図示され説明される順序とは異なる順序で及び／又は他のブロックと実質的に同じ時刻に、発生しても良いことは、理解（understood）及び認識（appreciated）されるべきである。さらに、以下で説明される手順を実装するために、必ずしも説明されたすべてのブロックが要求されなくても良い。ブロックに関連する機能性が、ソフトウェア、ハードウェア、それらの組み合せ又は他の任意の適した手段（例えば、デバイス、システム、プロセス、コンポーネント）により実装されても良いことは、認識されるべきである。その上、以下で及びこの明細書を通して開示される手順は、そのような手順を様々なデバイスへトランスポート（transporting）及び転送（transferring）することを容易にするために、製品（article of manufacture）上に記憶されることができることは、更に認識されるべきである。
【００７２】
代わりに手順が一連の相互に関係のある状態又はイベントとして（例えば状態図において）表されることができることは、当業者が理解又は認識するであろう。
【００７３】
図６は、様々な態様に従って計画的周波数再利用を利用してセクター間制御メッセージを送信する方法６００を示す。幾つかの態様に従って、メッセージは、１又は複数のビットとして送信されることができる。方法６００は６０２で始まり、ここでは、制御チャネル資源が、複数の資源パーティションに分割される。例えば、制御チャネル資源は、２つ以上のパーティションに分割されることができる（ここで、各々のパーティションは、資源のサブセットを含む）。制御チャネル資源は、制御メッセージを送信するために蓄えておかれる資源のセットであることができる。資源のセットは、時間資源、周波数資源、符号空間資源、電力資源又は他のシステム資源を含むことができる。幾つかの態様に従って、制御メッセージの伝送のための資源のセットは、制御チャネル資源のセットを２つ以上の部分に分割するのに先だって、割り当てられる。
【００７４】
６０４において、資源のパーティションの各々は、再利用パターンに置かれる。そして、それは、縮小再利用パターン又は非再利用パターンであることができる。幾つかの態様に従って、隣接するセクターが、オーバーラップしない制御チャネル資源を利用するように、資源のサブセットは、縮小再利用パターンに置かれる。このような方法で資源のパーティションを設置することは、それがセクター間制御チャネルのために支配的な干渉源を軽減することができるので、制御メッセージがターゲットとしている隣接セクターにおけるユーザのための資源の上のＳＮＲを改善することができる（例えば、ターゲットとされたユーザのサービング・セクター）。方法６００が時間−周波数資源の再利用を可能にすることを計画するシステムを利用する点に留意されるべきである。
【００７５】
制御メッセージは、６０６において、資源のサブセットの上で送信され、また、隣接するセクターにおける１又は複数のモバイル・デバイスに向けられる。制御メッセージの伝送は、パイロット・シンボル及びデータ・シンボルの混成を含むことができる。これらの制御メッセージは、隣接するセクターにおけるモバイル・デバイスのために又は他の目的のために役立つかもしれない情報（例えば、ハンドオフのために利用されることができるシステム情報、その送信電力レベルを調整するために受信モバイル・デバイスにより利用されることができる干渉情報）を含むことができる。
【００７６】
さて、図７を参照して、一つの態様に従ってランダム平均的統計を利用してセクター間制御メッセージを送信する方法７００が示される。方法７００は、再利用の要件（requirement）を軽減するために、資源ホッピングを使用することができる。資源ホッピングは、統計的非計画的再利用を提供する。
【００７７】
７０２において、制御チャネル資源のセットが、識別され、制御メッセージの送信のために割り当てられる（又は蓄えておかれる）。資源のセットは、時間資源、周波数資源、符号空間資源、電力資源又は他のシステム資源を含むことができる。７０４において、この資源のセットは、複数のサブセットに分割される。幾つかの態様に従って、制御メッセージの伝送のための制御チャネル資源のセットは、制御チャネル資源のセットを複数のサブセットに分割する前に、割り当てられる。
【００７８】
７０６において、資源のサブセットのうちの少なくとも１つが選択される。資源のサブセットを含む信号が、７０８において、隣接するセクターにおけるデバイスに送信される。幾つかの態様に従って、より小さなサブセットが、疑似ランダムな方法で又は完全にランダムな方法で選択される。疑似ランダム・シーケンスは、基地局間のシグナリングに基づくことができる（該シグナリングは、無線上又はバックホール・チャネル上にある）。
【００７９】
例えば、資源のサブセットは、隣接する伝送が同一の資源のサブセットを利用していることの可能性（likelihood）が低くなるように、ランダムに選択されることができる。幾つかの態様に従って、資源のサブセットはランダムに選択されることができ、そして、制限された数の伝送のために同一の資源のサブセットが利用され、そしてその後、異なるサブセットがランダムに選択される。他の態様に従って、サブセットがランダムに選択され、そして、固定される。
【００８０】
幾つかの態様に従って、ホッピング・パターンを作成するために（例えば、資源のサブセットを選択するために）決定論的な一連の複数のパターンが利用される。幾つかの態様に従って、一連の複数のパターンは、アクセスポイント（ＡＰ）タイミング、フレーム・カウント又はそれらの組み合せに基づくことができる。
【００８１】
例えば、各々の伝送について、一連の複数のパターンからの次のパターンが、選択される。一連の複数のパターンにおける最後のパターンを利用した後に、最初のパターンが再度利用され、そして、第２のパターンが続くなどである。それゆえ、各々の伝送について、選択が次のパターンへ移動し、ランダムであるか又は固定であるかにかかわらず、パターンは、ｘ回ごとに移動することができ（ここで、ｘは整数である）、又は、パターンは、ランダムなオフセットで移動することができ、又は、それらの組み合せである。
【００８２】
伝送は、パイロット・シンボル及びデータ・シンボルの混成を含むことができる。幾つかの態様に従って、伝送は、バックホール・チャネルの上で起こる。例えば、衝突がセクターで検出されるならば、そのセクターは、その衝突を他のセクターに知らせることができ、そして、異なるパターン又は資源のサブセットは、インテリジェントに選択されることができる。幾つかの態様に従って、制御チャネルは、２つ以上の選択されたサブセットにわたって冗長性をもって符号化される。
【００８３】
図８は、一つの態様に従って統計的再利用を利用して送信されるセクター間制御チャネルを受信する方法８００を示す。８０２において、伝送が隣接するセクターから受信される。伝送は、隣接するセクターにおける基地局により送信される制御チャネルを含むことができる。伝送は、パイロット・シンボル及びデータ・シンボルの混成を含むことができる。
【００８４】
８０４において、伝送の中のサブキャリア（例えば、資源）のサブセットは、同時にランダムにホップすることができ、検出される。例えば、セクターが伝送のために３２個のサブキャリアを選択したならば、３２個のサブキャリアは、複数の８サブキャリアからなるグループにおいてホップすることができる。資源のサブセットは、疑似ランダム・シーケンスについての知識に基づいて検出されることができる。資源のサブセットは、制御メッセージの送信のために割り当てられた資源のセットの一部である。幾つかの態様に従って、資源のサブセットは、時間資源、周波数資源、符号空間資源又は電力資源を含むことができる。
【００８５】
８０６において、制御メッセージを含む検出された資源のサブセットの中で少なくとも１つのサブキャリアが識別される。４つの８サブキャリア・セットのうちの任意の一つが、上記の例の場合のように、制御メッセージを含むように、少なくとも１つのサブキャリアは、冗長性をもって符号化される制御チャネルであることができる。８０８において、制御メッセージに含まれる情報は、選択的に利用される。例えば、複数のパイロットが、複数の８サブキャリア・セットの各々の上で干渉を推定するために利用されることができ、十分に高いＳＮＲをもつセットが選択されることができる。隣接するセクターの内部深くにいるユーザについて、全４つの８サブキャリア・セットが、ユーザのサービング・セクターからの４セットとオーバーラップする可能性は低い。
【００８６】
幾つかの態様に従って、方法８００は、２つ以上の資源のサブセットを受信することと、制御メッセージを得るために、複数の資源のサブセットを合同で復号化することを含む。合同の復号化は、複数のサブセット中のパイロット・シンボルに基づくことができる。
【００８７】
さて、図９を参照して、開示された態様の１又は複数に従ってセクター間制御チャネルを受信するのを容易にするシステム９００が示される。システム９００は、ユーザ・デバイス中に存在することができる。システム９００は、例えば、受信機アンテナから信号を受信することができる受信機９０２を含む。受信機９０２は、その上で、標準的なアクション（例えば、受信信号のフィルタリング、増幅、ダウンコンバートなど）を実行することができる。受信機９０２はまた、サンプルを得るために、調整（conditioned）された信号をデジタイズすることができる。復調器９０４は、各々のシンボル期間ごとに受信シンボルを得ることができ、また、受信シンボルをプロセッサ９０６に提供する。
【００８８】
プロセッサ９０６は、受信機コンポーネント９０２により受信される情報の解析及び／又は送信機９０８による送信のための情報の生成に専用されるプロセッサであることができる。加えて又は代わりに、プロセッサ９０６は、ユーザ・デバイス９００の１又は複数のコンポーネントを制御し、受信機９０２により受信される情報を解析し、送信機９０８による送信のための情報を生成し及び／又はユーザ・デバイス９００の１又は複数のコンポーネントを制御することができる。プロセッサ９０６は、更なるユーザ・デバイスとの通信を調整することができるコントローラ・コンポーネントを含んでも良い。
【００８９】
ユーザ・デバイス９００は、プロセッサ９０６に有効に接続されるメモリ９０８を更に含むことができ、そして、それは通信の調整に関係する情報及び任意の他の適切な情報を格納することができる。メモリ９１０は、サンプルのリアレンジメント（rearrangement）に関連するプロトコルを更に格納することができる。本明細書で説明されたデータ・ストア（例えば、メモリ）コンポーネントは、揮発性メモリ又は不揮発性メモリのいずれかであることができ、又は、揮発性又は不揮発性メモリの両方を含むことができることは、認識されるであろう。制限としてではなく説明として、不揮発性メモリは、リードオンリーメモリ（ＲＯＭ）、プログラマブルＲＯＭ（ＰＲＯＭ）、電気的書換え可能ＲＯＭ（ＥＰＲＯＭ）、電気的消去可能ＲＯＭ（ＥＥＰＲＯＭ）又はフラッシュメモリを含むことができる。揮発性メモリは、外部キャッシュメモリとして動作するランダムアクセスメモリ（ＲＡＭ）を含むことができる。制限としてではなく説明として、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、２倍速ＳＤＲＡＭ（ＤＤＲ ＳＤＲＡＭ）、拡張ＳＤＲＡＭ（ＥＳＤＲＡＭ）、シンクリンクＤＲＡＭ（ＳＬＤＲＡＭ）及びダイレクトラムバスＲＡＭ（ＤＲＲＡＭ）のような多くの形において利用可能である。対象システム及び／又は方法のメモリ９０８は、これら及び任意の他の適切な形のメモリを含むことを意図されている（ただし、それらに制限されない）。ユーザ・デバイス９００は、シンボル変調器９１２及び変調信号を送信する送信機９０８を更に含むことができる。
【００９０】
さらに、メモリ９１０は、隣接するセクターにおける基地局から制御チャネルを受信すること、受信された制御チャネル中の資源のサブセットを検出すること、及び、資源のサブセットのうちの１つの資源に含まれる制御メッセージを識別することに関係するインストラクションを保持することができる。プロセッサ９０６は、メモリ９１０に保持されるインストラクションを実行するように構成される。
【００９１】
図１０は、開示された態様の１又は複数に従ってセクター間制御チャネルを送信するのを容易にするシステム１０００の説明図である。システム１０００は、基地局又はアクセスポイント１００２を含む。図示されるように、基地局１００２は、受信アンテナ１００６により１又は複数のユーザ・デバイス１００４から（１又は複数の）信号を受信し、送信アンテナ１００８を通して１又は複数のユーザ・デバイス１００４に送信する。
【００９２】
基地局１００２は、受信アンテナ１００６から情報を受信する受信機１０１０を含み、また、受信された情報を復調する復調器１０１２と有効に関連している。復調されたシンボルは、メモリ１０１６に接続されたプロセッサ１０１４により解析される。変調器１０１８は、送信アンテナ１００８を通したユーザ・デバイス１００４への送信機１０２０による伝送のための信号を多重化することができる。
【００９３】
さらに、メモリ１０１６は、制御チャネル資源のセットを２つ以上の部分に分割することと、該２つ以上の部分の各々を、縮小再利用パターン又は非再利用パターンに置くことと、それら再利用パターンのうちの一つの再利用パターンの間に、制御メッセージを送信することに関係するインストラクションを保持することができる。幾つかの態様に従って、メモリ１０１６は、制御チャネル資源のセットを複数のサブセットに分割することと、それらサブセットのうちの１又は複数を、ランダムに又は疑似ランダムに選択することと、該選択されたサブセットを含む制御チャネルを、隣接するセクターにおけるデバイスへ送信することに関係するインストラクションを保持することができる。プロセッサ１０１４は、メモリ１０１６に保持されるインストラクションを実行するように構成される。
【００９４】
図１１は、開示された態様で利用されることができる例示的な無線通信システム１１００を示す。無線通信システム１１００は、簡潔にするために、１つの基地局及び１つの端末を表す。しかし、システム１１００は、２以上の基地局又はアクセスポイント及び／又は２以上の端末又はユーザ・デバイスを含むことができる（ここで、更なる基地局及び／又は端末は実質的に同様であることができ又は以下で説明される例示的な基地局及び端末とは異なることができる。）ことは、認識されるべきである。さらに、基地局及び／又は端末は、それらの間の無線通信を容易にするために、本明細書で説明されるシステム及び／又は方法を使用することができることは、認識されるべきである。
【００９５】
さて、図１１を参照して、ダウンリンクの上で、アクセスポイント１１０５において、送信（ＴＸ）データプロセッサ１１１０は、トラフィック・データを、受信し、フォーマットし、符号化し、インターリーブし、そして、変調（又は、シンボル・マッピング）して、変調シンボル（“データ・シンボル”）を提供する。シンボル変調器１１１５は、データ・シンボル及びパイロット・シンボルを受信し、処理して、シンボルのストリームを提供する。シンボル変調器１１１５は、データ及びパイロット・シンボルを多重化し、Ｎ個の送信シンボルのセットを得る。各々の送信シンボルは、データ・シンボル、パイロット・シンボル又は信号値０であっても良い。パイロット・シンボルは、各々のシンボル期間において連続的に送信されても良い。パイロット・シンボルは、周波数分割多重化（ＦＤＭ）、直交周波数分割多重化（ＯＦＤＭ）、時分割多重化（ＴＤＭ）、周波数分割多重化（ＦＤＭ）又は符号分割多重化（ＣＤＭ）されることができる。
【００９６】
送信機ユニット（ＴＭＴＲ）１１２０は、シンボルのストリームを受信し、１又は複数のアナログ信号に変換し、無線チャネル上の伝送に適したダウンリンク信号を生成するために、アナログ信号を更に調整（conditions）（例えば、増幅、フィルタリング及び周波数アップコンバート）する。ダウンリンク信号は、それからアンテナ１１２５を通して端末に送信される。端末１１３０において、アンテナ１１３５は、ダウンリンク信号を受信し、受信信号を受信機ユニット（ＲＣＶＲ）１１４０に提供する。受信機ユニット１１４０は、受信信号を調整（例えば、フィルタリング、増幅及び周波数ダウンコンバート）し、サンプルを得るために、該調整された信号をデジタイズする。シンボル復調器１１４５は、Ｎ個の受信されたシンボルを取得し、受信されたパイロット・シンボルをチャネル推定のためにプロセッサ１１５０に提供する。シンボル復調器１１４５は、更に、プロセッサ１１５０からダウンリンクのための周波数レスポンス推定を受信し、データ・シンボル推定（それは、送信されたデータ・シンボルの推定である）を得るために、受信されたデータ・シンボルの上でデータ復調を実行し、該データ・シンボル推定をＲＸデータプロセッサ１１５５に提供する。そして、ＲＸデータプロセッサ１１５５は、送信されたトラフィック・データをリカバーするために、該データ・シンボル推定を、復調（すなわち、シンボル・デマッピング）し、デインターリーブし、そして、復号化する。シンボル復調器１１４５及びＲＸデータプロセッサ１１５５による処理は、それぞれ、アクセスポイント１１０５におけるシンボル変調器１１１５及びＴＸデータプロセッサ１１１０による処理と相補的である。
【００９７】
アップリンクの上で、ＴＸデータプロセッサ１１６０は、トラフィック・データを処理して、データ・シンボルを提供する。シンボル変調器１１６５は、データ・シンボルを受信し、パイロット・シンボルで多重化し、変調を実行し、そして、シンボルのストリームを提供する。送信機ユニット１１７０は、それから、アップリンク信号を生成するために、シンボルのストリームを受信して、処理する。そして、アップリンク信号は、アンテナ１１３５によりアクセスポイント１１０５に送信される。
【００９８】
アクセスポイント１１０５において、端末１１３０からのアップリンク信号は、アンテナ１１２５により受信され、サンプルを得るために、受信機ユニット１１７５により処理される。シンボル復調器１１８０は、それから、サンプルを処理し、受信されたパイロット・シンボル及びアップリンクに関するデータ・シンボル推定を提供する。ＲＸデータプロセッサ１１８５は、端末１１３０により送信されたトラフィック・データをリカバーするために、該データ・シンボル推定を処理する。プロセッサ１１９０は、アップリンクの上で送信している各々のアクティブ端末ごとに、チャネル推定を実行する。
【００９９】
プロセッサ１１９０及び１１５０は、それぞれ、アクセスポイント１１０５及び端末１１３０のオペレーションを指示する（direct）（例えば、制御、調整（coordinate）、管理，．．．）。それぞれのプロセッサ１１９０及び１１５０は、プログラム・コード及びデータを格納するメモリ・ユニット（図示せず）に関連することができる。プロセッサ１１９０及び１１５０はまた、それぞれ、アップリンク及びダウンリンクのための周波数レスポンス推定及びインパルス・レスポンス推定を導くために、計算を実行することができる。
【０１００】
マルチアクセス・システム（例えば、ＦＤＭＡ、ＯＦＤＭＡ、ＣＤＭＡ、ＴＤＭＡ、など）のために、複数の端末は、アップリンクの上で並行して送信することができる。そのようなシステムのために、パイロット・サブバンドは、異なる端末の間で共有されても良い。各々の端末のためのパイロット・サブバンドが全体の動作バンド（場合によってバンド・エッジを除いて）にわたる場合に、チャネル推定技術が使用されても良い。そのようなパイロット・サブバンド構造は、各々の端末について周波数ダイバーシティーを得るために望ましいであろう。本明細書で説明される技術は、様々な手段により実装されても良い。例えば、これらの技術は、ハードウェア、ソフトウェア又はそれらの組み合せで実装されても良い。ハードウェア実装については、チャネル推定のために使用される処理ユニットは、１又は複数の特定用途向け集積回路（ＡＳＩＣ）、デジタルシグナルプロセッサ（ＤＳＰ）、デジタル信号処理装置（ＤＳＰＤ）、プログラマブル・ロジック・デバイス（ＰＬＤ）、フィールド・プログラマブル・ゲート・アレイ（ＦＰＧＡ）、プロセッサ、コントローラ、マイクロコントローラ、マイクロプロセッサ、本明細書で説明される機能を実行するようにデザインされた他の電子ユニット又はそれらの組み合せの中で実装されても良い。ソフトウェアでは、実装は、本明細書で説明される機能を実行するモジュール（例えば、プロシージャー、関数、その他）によることができる。ソフトウェア・コードは、メモリ・ユニット中に格納されても良く、また、プロセッサ１１９０及び１１５０により実行されても良い。
【０１０１】
図１２を参照して、１又は複数のセクター間制御ビット（例えば、幾つかのビットを含むメッセージ）を送信する例示的なシステム１２００が示される。システム１２００は、基地局の中に少なくとも部分的に存在しても良い。システム１２００は、機能ブロック（それは、プロセッサ、ソフトウェア又はそれらの組み合せ（例えば、ファームウェア）により実装される機能を表す機能ブロックであっても良い）を含むものとして表されることは認識されるべきである。
【０１０２】
システム１２００は、独立して又は合同して動作することができる電気コンポーネントの論理グループ１２０２を含む。
【０１０３】
論理グループ１２０２は、制御チャネル資源を２つ以上のセグメントに分割するための電気コンポーネント１２０４を含んでも良い。制御チャネル資源は、時間資源、周波数資源、符号空間資源又は電力資源のうちの一つを含むことができる。幾つかの態様に従って、論理グループ１２０２は、制御チャネル資源が２つ以上のセグメントに分割される前に、資源のセットを予約するための電気コンポーネントを含む。
【０１０４】
論理グループ１２０２にはまた、２つ以上のセグメントの各々を縮小再利用パターン又は非再利用パターンに置くための電気コンポーネント１２０６が含まれる。２つ以上のセグメントの各々は、オーバーラップする制御資源を利用する隣接セクターの発生を軽減するために、再利用パターンに置かれる。
【０１０５】
論理グループ１２０２はまた、隣接するセクターにおけるモバイル・デバイスに制御メッセージを伝えるための電気コンポーネント１２０８を含む。制御メッセージは、縮小再利用パターン又は非再利用を利用して伝えられることができる。伝えられた制御メッセージは、パイロット・シンボル及びデータ・シンボルを含む。
【０１０６】
さらに、システム１２００は、電気コンポーネント１２０４，１２０６及び１２０８又は他のコンポーネントに関連する機能を実行するためのインストラクションを保持するメモリ１２１０を含むことができる。メモリ１２１０は、メモリ１２１０の外部に存在するものとして示されるが、電気コンポーネント１２０４，１２０６及び１２０８のうちの１又は複数がメモリ１２１０内に存在しても良いことは理解されるべきである。
【０１０７】
図１３は、ランダム統計的平均を利用してセクター間制御チャネルを送信する例示的なシステム１３００を示す。システム１３００は、モバイル・デバイスの中に少なくとも部分的に存在しても良い。システム１３００は、機能ブロック（それは、プロセッサ、ソフトウェア又はそれらの組み合せ（例えば、ファームウェア）により実装される機能を表す機能ブロックであっても良い）を含むものとして表されることは認識されるべきである。
【０１０８】
システム１３００は、独立して又は合同して動作することができる電気コンポーネントの論理グループ１３０２を含む。論理グループ１３０２には、制御資源のセットを２つ以上のサブセットに分割するための電気コンポーネント１３０４が含まれる。サブセットの各々は、パイロット・シンボル及びデータ・シンボルの混成を含むことができる。制御チャネル資源は、時間資源、周波数資源、符号空間資源又は電力資源を含むことができる。幾つかの態様に従って、論理グループ１３０２は、制御チャネル資源が分割される前に、制御チャネル資源のセットを割り当てるための電気コンポーネントを含む。
【０１０９】
論理グループ１３０２にはまた、サブセットのうちの少なくとも一つを、ランダム又は疑似ランダムな方法で選択するための電気コンポーネント１３０６含まれる。疑似ランダムな方法は、基地局間のシグナリングに基づくことができる。シグナリングは、無線上又はバックホール・チャネル上にあることができる。幾つかの態様に従って、サブセットのうちの一つを疑似ランダムな方法で選択することは、決定論的な一連のパターンに基づく。加えて又は代わりに、サブセットのうちの１つを疑似ランダムな方法で選択することは、統計的非計画的再利用を含む。制御チャネルは、２つ以上の選択されたサブセットにわたって冗長性をもって符号化されることができる。
【０１１０】
論理グループ１３０２はまた、選択されたサブセットを、隣接するセクターにおけるデバイスへ伝えるための電気コンポーネント１３０８を含む。選択されたサブセットは、制御チャネルに含まれる。
【０１１１】
さらに、システム１３００は、電気コンポーネント１３０４，１３０６及び１３０８又は他のコンポーネントに関連する機能を実行するためのインストラクションを保持するメモリ１３１０を含むことができる。メモリ１３１０は、メモリ１３１０の外部に存在するものとして示されるが、電気コンポーネント１３０４，１３０６及び１３０８のうちの１又は複数がメモリ１３１０内に存在しても良いことは理解されるべきである。
【０１１２】
図１４は、統計的再利用で送信されるセクター間制御チャネルを受信する例示的なシステム１４００を示す。システム１４００は、モバイル・デバイスの中に少なくとも部分的に存在しても良い。システム１４００は、機能ブロック（それは、プロセッサ、ソフトウェア又はそれらの組み合せ（例えば、ファームウェア）により実装される機能を表す機能ブロックであっても良い）を含むものとして表されることは認識されるべきである。
【０１１３】
システム１４００は、独立して又は合同して動作することができる電気コンポーネントの論理グループ１４０２を含む。論理グループ１４０２は、隣接するセクターにおける基地局により送信される制御チャネルを受信するための電気コンポーネント１４０４を含む。論理グループ１４０２はまた、受信された制御チャネルにおける資源のサブセットを識別（identifying）するための電気コンポーネント１４０６を含む。資源のサブセットは、疑似ランダム・シーケンスについての知識に基づいて識別されることができる。資源のサブセットは、制御メッセージの送信のために割り当てられた資源のセットの一部であることができる。
【０１１４】
論理グループ１４０２はまた、資源のサブセットのうちの一つの資源に含まれる制御メッセージを識別（distinguishing）するための電気コンポーネント１４０８を含む。加えて又は代わりに、論理グループ１４０４は、資源の２つ以上のサブセットを受信するための電気コンポーネントを含む。また、ブロードキャスト制御メッセージを得るために資源のサブセットを合同で復号化するための電気コンポーネントが含まれることができる。合同の復号化は、サブセット中のパイロット・シンボルに基づくことができる。
【０１１５】
さらに、システム１４００は、電気コンポーネント１４０４，１４０６及び１４０８又は他のコンポーネントに関連する機能を実行するためのインストラクションを保持するメモリ１４１０を含むことができる。メモリ１４１０は、メモリ１４１０の外部に存在するものとして示されるが、電気コンポーネント１４０４，１４０６及び１４０８のうちの１又は複数がメモリ１４１０内に存在しても良いことは理解されるべきである。
【０１１６】
本明細書で説明される態様は、ハードウェア、ソフトウェア、ファームウェア又はそれらの任意の組み合せによって実装されても良いことは理解されるべきである。ソフトウェアで実装される場合には、該機能は、１又は複数のインストラクション又はコードとして、コンピュータ読み取り可能な媒体に格納され又は、コンピュータ読み取り可能な媒体を通して伝送されても良い。コンピュータ読み取り可能な媒体（computer-readable media）は、コンピュータ記憶媒体（computer storage media）及び通信媒体（communication media）の両方を含み、或る場所から他の場所へのコンピュータ・プログラムの転送を容易にする任意の媒体を含む。記憶媒体は、汎用又は特殊目的コンピュータによってアクセスできる任意の利用可能な媒体であっても良い。制限としてではなく例として、そのようなコンピュータ読み取り可能な媒体は、ＲＡＭ、ＲＯＭ、ＥＥＰＲＯＭ、ＣＤ−ＲＯＭ又は他の光ディスク記憶装置、磁気ディスク記憶装置又は他の磁気記憶装置、又は、インストラクション又はデータ構造の形で所望のプログラム・コードを運ぶ又は記憶するために使用されることができ且つ汎用若しくは特殊目的コンピュータ又は汎用若しくは特殊目的プロセッサによりアクセスされることができる任意の他の媒体を含むことができる。また、任意のコネクション（connection）は、適切にコンピュータ読み取り可能な媒体と呼ばれる。例えば、同軸ケーブル、光ファイバーケーブル、ツイストペア、デジタル加入者線（ＤＳＬ）、又は、例えば赤外線、無線及びマイクロ波のような無線技術を使用することによって、ウェブサイト、サーバ、又は他のリモートソースからソフトウェアが送信される場合に、その同軸ケーブル、光ファイバーケーブル、ツイストペア、ＤＳＬ、又は、例えば赤外線、無線及びはマイクロ波のような無線技術は、媒体の定義に含まれる。本明細書で用いられるディスク（Disk）及びディスク（disc）は、コンパクトディスク（ＣＤ）、レーザーディスク（登録商標）、光ディスク、デジタル・バーサタイル・ディスク（ＤＶＤ）、フロッピー（登録商標）ディスク及びブルーレイディスク（登録商標）を含む。ここで、ディスク（disks）は、通常、磁気的にデータを再生（reproduce
）し、一方、ディスク（discs）は、レーザーを使って光学的にデータを再生する。上記の組み合わせはまた、コンピュータ読み取り可能な媒体の範囲の中に含まれるべきである。
【０１１７】
本明細書で開示される態様に関連して説明される様々な実例となる論理、論理ブロック、モジュール及び回路は、汎用プロセッサ、デジタルシグナルプロセッサ（ＤＳＰ）、特定用途向けＩＣ（ＡＳＩＣ）、フィールド・プログラマブル・ゲート・アレイ（ＦＰＧＡ）又は他のプログラマブル・ロジック・デバイス、ディスクリート・ゲート又はトランジスタ・ロジック、ディスクリート・ハードウェアコンポーネント、又は、本明細書で説明される機能を実行するようにデザインされるそれらの任意の組み合わせで実装又は実行されても良い。汎用プロセッサは、マイクロプロセッサであっても良いが、代わりに、プロセッサは、任意の従来のプロセッサ、コントローラ、マイクロコントローラ又は状態機械であっても良い。プロセッサは、複数のコンピュータデバイスの組合せ（例えば、ＤＳＰとマイクロプロセッサの組み合せ、複数のマイクロプロセッサ、ＤＳＰコアと連携した１又は複数のマイクロプロセッサ、又は、任意の他のそのような構成）として実装されても良い。さらに、少なくとも１つのプロセッサは、上で説明されたステップ及び／又はアクションのうちの１又は複数を実行するように動作可能な１又は複数のモジュールを含んでも良い。
【０１１８】
ソフトウェア実装について、本明細書で説明される技術は、本明細書で説明される機能を実行するモジュール（例えば、手続き、関数、その他）で実装されても良い。ソフトウェア・コードは、メモリ・ユニットに格納され、プロセッサにより実行されても良い。メモリ・ユニットは、プロセッサの内部又は外部に実装されても良い。その場合には、技術的に知られているような様々な手段を通してプロセッサと通信可能に接続されることができる。さらに、少なくとも１つのプロセッサは、本明細書で説明される機能を実行するように動作可能な１又は複数のモジュールを含んでも良い。
【０１１９】
本明細書で説明される技術は、例えばＣＤＭＡ、ＴＤＭＡ、ＦＤＭＡ、ＯＦＤＭＡ、ＳＣ−ＦＤＭＡ及び他のシステムのような様々な無線通信システムのために使用されても良い。用語“システム”及び“ネットワーク”はしばしば互換的に使用される。ＣＤＭＡシステムは、例えばユニバーサル地上無線アクセス（ＵＴＲＡ）、ＣＤＭＡ２０００などのような無線技術を実装し得る。ＵＴＲＡは、ワイドバンドＣＤＭＡ（Ｗ−ＣＤＭＡ）及びＣＤＭＡの他の変形を含む。さらに、ＣＤＭＡ２０００は、ＩＳ−２０００、ＩＳ−９５及びＩＳ−８５６標準をカバーする。ＴＤＭＡシステムは、例えばグローバル移動体通信システム（ＧＳＭ（登録商標））のような無線技術を実装し得る。ＯＦＤＭＡシステムは、例えば発展型ＵＴＲＡ（Evolved UTRA）（Ｅ−ＵＴＲＡ）、ウルトラ・モバイル・ブロードバンド（ＵＭＢ）、ＩＥＥＥ ８０２．１１（Ｗｉ−Ｆｉ）、ＩＥＥＥ ８０２．１６（ＷｉＭＡＸ）、ＩＥＥＥ ８０２．２０、Ｆｌａｓｈ−ＯＦＤＭ（登録商標）などのような無線技術を実装し得る。ＵＴＲＡ及びＥＵＴＲＡは、ユニバーサル移動通信システム（ＵＭＴＳ）の一部である。３ＧＰＰロングタームエボリューション（ＬＴＥ）は、Ｅ−ＵＴＲＡを使用するＵＭＴＳのリリースである。そして、それは、ダウンリンク上でＯＦＤＭＡを使用し、アップリンク上でＳＣ−ＦＤＭＡを使用する。ＵＴＲＡ、Ｅ−ＵＴＲＡ、ＵＭＴＳ、ＬＴＥ及びＧＳＭは、“第３世代パートナーシッププロジェクト”（３ＧＰＰ）と言う名前の団体からのドキュメントに記載されている。さらに、ＣＤＭＡ２０００及びＵＭＢは、“第３世代パートナーシッププロジェクト２”（３ＧＰＰ２）という名前の団体からのドキュメントに記載されている。さらに、そのような無線通信システムは、アンペア・アンライセンス・スペクトラム（unpaired unlicensed spectrums）、８０２．ｘｘ無線ＬＡＮ、Ｂｌｕｅｔｏｏｔｈ（登録商標）及び任意の他の短距離又は長距離の無線通信技術をしばしば使用するピア・ツー・ピア（例えば、モバイル・ツー・モバイル）アドホック・ネットワーク・システムを更に含んでも良い。
【０１２０】
さらに、本明細書で説明される様々な態様又は特徴は、標準的なプログラミング及び／又はエンジニアリング技術を使用する方法、装置又は製品として実装されても良い。本明細書で使用される用語“製品（article of manufacture）”は、任意のコンピュータ読み取り可能なデバイス、キャリア又は媒体からアクセスできるコンピュータ・プログラムを包含することを意図されている。例えば、コンピュータ読み取り可能な媒体は、磁気記憶装置（例えば、ハード・ディスク、フロッピー・ディスク、磁気ストリップ、その他）、光ディスク（例えば、コンパクトディスク（ＣＤ）、デジタル・バーサタイル・ディスク（ＤＶＤ）、その他）、スマートカード、及び、フラッシュメモリ・デバイス（例えば、ＥＰＲＯＭ、カード、スティック、キー・ドライブ、その他）を含むことができる（ただし、それらに制限されない）。さらに、本明細書で説明される様々な記憶媒体は、情報を格納するための１又は複数のデバイス及び／又は他の機械読み取り可能な媒体を表すことができる。“機械読み取り可能な媒体（machine-readable medium）”という用語は、無線チャネル、及び、（１又は複数の）インストラクション及び／又はデータを格納（storing,）、含有（containing）及び／又は搬送（carrying）することができる様々な他の媒体を含むことができる（ただし、それらに制限されない）。さらに、コンピュータ・プログラム製品は、本明細書で説明される機能をコンピュータに実行させるように動作可能な１又は複数のインストラクション又はコードを有するコンピュータ読み取り可能な媒体を含んでも良い。
【０１２１】
さらに、本明細書で開示される態様に関連して説明される方法又はアルゴリズムのステップ及び／又はアクションは、直接ハードウェアにおいて、プロセッサにより実行されるソフトウェア・モジュールにおいて、又は、それら２つの組み合せにおいて、具体化されても良い。ソフトウェア・モジュールは、ＲＡＭメモリ、フラッシュメモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ又は技術的に知られている任意のその他のタイプの記憶媒体であっても良い。例示的な記憶媒体は、プロセッサが該記憶媒体から情報をリードすることができ、また、該記憶媒体に情報をライトすることができるように、該プロセッサに接続されても良い。代わりに、記憶媒体は、プロセッサに一体化されても良い。さらに、幾つかの態様において、プロセッサ及び記憶媒体がＡＳＩＣ中に存在しても良い。さらに、そのＡＳＩＣがユーザ端末上に存在しても良い。代わりに、プロセッサ及び記憶媒体が、ユーザ端末上に個別のコンポーネントとして存在しても良い。さらに、幾つかの態様において、方法又はアルゴリズムのステップ及び／又はアクションは、機械読み取り可能な媒体及び／又はコンピュータ読み取り可能な媒体上のコード及び／又はインストラクションの１つ又は任意の組み合わせ又はセットとして存在しても良く、また、それは、コンピュータ・プログラム製品に組み込まれても良い。
【０１２２】
前述の開示は実例となる態様及び／又は態様を述べるが、説明された態様及び／又は添付されたクレームにより定義される態様の範囲を逸脱することなく様々な変更及び修正がここでなされることができる点に留意されるべきである。したがって、説明された態様は、添付されたクレームの範囲に入るすべてのそのような変更、修正及び変形を包含することを意図されている。さらに、説明された態様及び／又は態様の要素が単数で説明又はクレームされることがあるが、単数への制限が明確に記載されていない限り、複数が予期される。さらに、特に明記しない限り、任意の態様及び／又は態様の全体又は一部が、任意の他の態様及び／又は態様の全体又は一部とともに利用されても良い。
【０１２３】
さらに、語句“含む（includes）”が詳細な説明又はクレームのいずれかにおいて使用される範囲内において、上記語句は、語句“備える、含む（comprising）”がクレームにおいてつなぎ詞（transitional word）として用いられた場合に“備える、含む（comprising）”として解釈されるのと同様の方法で、包括的であることを意図されている。さらに、詳細な説明又は特許請求の範囲で用いられる語句“又は（or）”は、“非排他的な、又は（non-exclusive or）”であることを意図されている。 
以下に、本願出願の当初の特許請求の範囲に記載された各請求項に対応する発明を付記する。 
［１］１又は複数のセクター間制御メッセージを送信するための方法において、 
制御チャネル資源のセットを２つ以上の部分に分割することと、 
前記２つ以上の部分の各々を、縮小再利用パターン又は非再利用パターンに置くことと、 
前記再利用パターンのうちの一つのパターンの間に、制御メッセージを送信することを含む方法。 
［２］隣接するセクターがオーバーラップしない制御資源を利用するように、前記２つ以上の部分の各々を、前記縮小再利用パターンに置く［１］の方法。 
［３］前記送信は、パイロット・シンボル及びデータ・シンボルの混成を含む［１］の方法。 
［４］前記制御メッセージは、隣接するセクターにおけるモバイル・デバイスに向けられる［１］の方法。 
［５］前記制御チャネル資源のセットを２つ以上の部分に分割するのに先だって、前記制御メッセージの送信のために、資源のセットを割り当てることを更に含む［１］の方法。 
［６］前記制御チャネル資源のセットは、時間資源、周波数資源、符号空間資源又は電力資源のうちの一つである［１］の方法。 
［７］制御チャネル資源のセットを２つ以上の部分に分割することと、前記２つ以上の部分の各々を、縮小再利用パターン又は非再利用パターンに置くことと、前記再利用パターンのうちの一つのパターンの間に、制御メッセージを送信することに関係するインストラクションを保持するメモリと、 
前記メモリに接続され、前記メモリ中に保持された前記インストラクションを実行するように構成されたプロセッサとを含む無線通信装置。 
［８］隣接するセクターがオーバーラップしない制御資源を利用するように、前記２つ以上の部分の各々を、前記縮小再利用パターンに置く［７］の無線通信装置。 
［９］前記制御メッセージは、パイロット・シンボル及びデータ・シンボルの混成を含む［７］の無線通信装置。 
［１０］前記制御メッセージは、隣接するセクターにおける１又は複数のモバイル・デバイスに送信される［７］の無線通信装置。 
［１１］前記メモリは、前記制御チャネル資源のセットが複数の部分に分割される前に、前記制御メッセージの送信のために、資源のセットを割り当てることに関係するインストラクションを更に保持する［７］の無線通信装置。 
［１２］前記制御チャネル資源のセットは、時間資源、周波数資源、符号空間資源又は電力資源のうちの一つである［７］の無線通信装置。 
［１３］１又は複数のセクター間制御メッセージを送信する無線通信装置において、 
制御チャネル資源を２つ以上のセグメントに分割するための手段と、 
前記２つ以上のセグメントの各々を、縮小再利用パターン又は非再利用パターンに置くための手段と、 
隣接するセクターにおけるモバイル・デバイスに、前記制御メッセージを伝えるための手段（該制御メッセージは、前記縮小再利用パターン又は前記非再利用パターンを使用して伝えられる）とを含む無線通信装置。 
［１４］前記２つ以上のセグメントの各々は、隣接するセクターがオーバーラップする制御資源を利用することの発生を軽減するために、前記再利用パターンに置かれる［１３］の無線通信装置。 
［１５］前記伝えられる制御メッセージは、パイロット・シンボル及びデータ・シンボルを含む［１３］の無線通信装置。 
［１６］前記制御チャネル資源が２つ以上のセグメントに分割される前に、資源のセットを予約するための手段を更に含む［１３］の無線通信装置。 
［１７］前記制御チャネル資源のセットは、時間資源、周波数資源、符号空間資源又は電力資源のうちの一つである［１３］の無線通信装置。 
［１８］コンピュータに、制御チャネル資源を２つ以上のセグメントに分割させるための第１のコード・セットと、 
前記コンピュータに、前記２つ以上のセグメントの各々を、縮小再利用パターン又は非再利用パターンに置くための第２のコード・セットと、 
前記コンピュータに、隣接するセクターにおけるモバイル・デバイスに、前記制御メッセージを伝えさせるための第３のコード・セット（該制御メッセージは、前記縮小再利用パターン又は前記非再利用パターンを使用して伝えられる）とを含むコンピュータ読み取り可能な媒体を含むコンピュータ・プログラム製品。 
［１９］前記コンピュータ読み取り可能な媒体は、前記コンピュータに、前記制御チャネル資源が２つ以上のセグメントに分割される前に、資源のセットを予約させるための第４のコード・セットを更に含む［１８］のコンピュータ・プログラム製品。 
［２０］前記２つ以上のセグメントの各々は、隣接するセクターがオーバーラップする制御資源を利用することの発生を軽減するために、前記再利用パターンに置かれる［１８］のコンピュータ・プログラム製品。 
［２１］前記伝えられる制御メッセージは、パイロット・シンボル及びデータ・シンボルを含む［１８］のコンピュータ・プログラム製品。 
［２２］前記制御チャネル資源のセットは、時間資源、周波数資源、符号空間資源又は電力資源のうちの１つである［１８］のコンピュータ・プログラム製品。 
［２３］セクター間制御ビットを送信するように構成された少なくとも一つのプロセッサにおいて、 
制御チャネル資源のセットを割り当てるための第１のモジュールと、 
前記制御チャネル資源のセットを２つ以上のセグメントに分割するための第２のモジュールと、 
前記２つ以上のセグメントの各々を、縮小再利用パターン又は非再利用パターンに置くための第３のモジュールと、 
隣接するセクターにおける１又は複数のモバイル・デバイスに、前記２つ以上のセグメントを含む制御メッセージを伝えるための第４のモジュール（該２つ以上のセグメントの各々は、前記隣接するセクターがオーバーラップしない制御資源を使用するように、前記縮小再利用パターン又は前記非再利用パターンに置かれる）とを含む少なくとも一つのプロセッサ。 
［２４］ランダム統計的平均を利用してセクター間ブロードキャスト制御チャネルを送信する方法において、 
制御チャネル資源のセットを複数のサブセットに分割することと、 
前記サブセットのうちの少なくとも一つを、ランダムに又は疑似ランダムに選択することと、 
前記選択されたサブセットを含む制御チャネルを、隣接するセクターにおけるデバイスへ送信することを含む方法。 
［２５］前記制御チャネル資源のセットを複数のサブセットに分割する前に、前記制御メッセージの送信のために、前記制御チャネル資源のセットを割り当てることを更に含む［２４］の方法。 
［２６］前記制御チャネル資源のセットは、時間資源、周波数資源、符号空間資源又は電力資源を含む［２４］の方法。 
［２７］前記サブセットのうちの少なくとも一つを疑似ランダムに選択することは、決定論的な一連のパターンに基づく［２４］の方法。 
［２８］前記決定論的な一連のパターンは、アクセスポイント・タイミング、フレーム・カウント又はそれらの組み合せに基づく［２７］の方法。 
［２９］前記サブセットのうちの少なくとも一つを疑似ランダムに選択することは、統計的非計画的再利用を含む［２４］の方法。 
［３０］前記サブセットの各々は、パイロット・シンボル及びデータ・シンボルの混成を含む［２４］の方法。 
［３１］前記制御チャネルは、２つ以上の選択されたサブセットにわたって冗長性をもって符号化される［２４］の方法。 
［３２］前記疑似ランダムな選択は、基地局間のシグナリングに基づくシーケンスであり、該シグナリングは、無線上又はバックホール・チャネル上にある［２４］の方法。
［３３］制御チャネル資源のセットを２以上のサブセットに分割することと、前記サブセットのうちの少なくとも一つを、ランダム又は疑似ランダムな方法で選択することと、前記選択されたサブセットを含む制御チャネルを、隣接するセクターにおけるデバイスへブロードキャストすることに関係するインストラクションを保持するメモリと、 
前記メモリに接続され、前記メモリ中に保持された前記インストラクションを実行するように構成されたプロセッサとを含む無線通信装置。 
［３４］前記メモリは、前記制御チャネル資源のセットを複数のサブセットに分割するのに先だって、前記制御メッセージの送信のために、前記制御チャネル資源のセットを割り当てることに関係するインストラクションを更に保持する［３３］の無線通信装置。 
［３５］前記制御チャネル資源のセットは、時間資源、周波数資源、符号空間資源又は電力資源を含む［３３］の無線通信装置。 
［３６］前記サブセットのうちの少なくとも一つを疑似ランダムな方法で選択することは、決定論的な一連のパターンに基づく［３３］の無線通信装置。 
［３７］前記サブセットのうちの少なくとも一つを疑似ランダムに選択することは、統計的非計画的再利用を含む［３３］の無線通信装置。 
［３８］前記サブセットの各々は、パイロット・シンボル及びデータ・シンボルの混成を含む［３３］の無線通信装置。 
［３９］前記制御チャネルは、２つ以上の選択されたサブセットにわたって冗長性をもって符号化される［３３］の無線通信装置。 
［４０］前記サブセットを選択する前記疑似ランダムな方法は、基地局間のシグナリングに基づくシーケンスであり、該シグナリングは、無線上又はバックホール・チャネル上にある［３３］の無線通信装置。 
［４１］ランダム統計的平均を利用してセクター間制御チャネルを送信する無線通信装置において、 
制御チャネル資源のセットを２以上のサブセットに分割するための手段と、 
前記サブセットのうちの少なくとも一つを、ランダム又は疑似ランダムな方法で選択するための手段と、 
前記選択されたサブセット（該選択されたサブセットは、制御チャネルに含まれる）を、隣接するセクターにおけるデバイスへ伝えるための手段とを含む無線通信装置。 
［４２］前記制御チャネル資源のセットが分割される前に、前記制御チャネルの送信のために、前記制御チャネル資源のセットを割り当てるための手段を更に含む［４１］の無線通信装置。 
［４３］前記制御チャネル資源のセットは、時間資源、周波数資源、符号空間資源又は電力資源を含む［４１］の無線通信装置。 
［４４］前記サブセットのうちの少なくとも一つを疑似ランダムな方法で選択することは、決定論的な一連のパターンに基づく［４１］の無線通信装置。 
［４５］前記サブセットのうちの少なくとも一つを疑似ランダムな方法で選択することは、統計的非計画的再利用を含む［４１］の無線通信装置。 
［４６］前記サブセットの各々は、パイロット・シンボル及びデータ・シンボルの混成を含む［４１］の無線通信装置。 
［４７］前記制御チャネルは、２つ以上の選択されたサブセットにわたって冗長性をもって符号化される［４１］の無線通信装置。 
［４８］前記疑似ランダムな方法は、基地局間のシグナリングに基づくシーケンスであり、該シグナリングは、無線上又はバックホール・チャネル上にある［４１］の無線通信装置。 
［４９］コンピュータに、制御チャネル資源のセットを２以上のサブセットに分割させるための第１のコード・セットと、 
前記コンピュータに、前記サブセットのうちの少なくとも一つを、ランダム又は疑似ランダムな方法で選択させるための第２のコード・セットと、 
前記選択されたサブセット（該選択されたサブセットは、制御チャネルに含まれる）を、隣接するセクターにおけるデバイスへ伝えさせるための第３のコード・セットとを含むコンピュータ読み取り可能な媒体を含むコンピュータ・プログラム製品。 
［５０］前記コンピュータ読み取り可能な媒体は、前記コンピュータに、前記制御チャネル資源のセットが分割される前に、前記制御チャネルの送信のために、前記制御チャネル資源のセットを割り当てさせるための第４のコード・セットを更に含む［４９］のコンピュータ・プログラム製品。 
［５１］前記制御チャネル資源のセットは、時間資源、周波数資源、符号空間資源又は電力資源を含む［４９］のコンピュータ・プログラム製品。 
［５２］前記サブセットのうちの少なくとも一つを疑似ランダムな方法で選択することは、決定論的な一連のパターンに基づく［４９］のコンピュータ・プログラム製品。 
［５３］前記サブセットのうちの少なくとも一つを疑似ランダムな方法で選択することは、統計的非計画的再利用を含む［４９］のコンピュータ・プログラム製品。 
［５４］前記サブセットの各々は、パイロット・シンボル及びデータ・シンボルの混成を含む［４９］のコンピュータ・プログラム製品。 
［５５］前記制御チャネルは、２つ以上の選択されたサブセットにわたって冗長性をもって符号化される［４９］のコンピュータ・プログラム製品。 
［５６］前記疑似ランダムな方法は、基地局間のシグナリングに基づくシーケンスであり、該シグナリングは、無線上又はバックホール・チャネル上にある［４９］の無線通信装置。 
［５７］ランダム統計的平均を利用してセクター間ブロードキャスト制御チャネルを送信するように構成された少なくとも一つのプロセッサにおいて、 
制御チャネル資源のセットを割り当てるための第１のモジュールと、 
前記制御チャネル資源のセットを２つ以上のサブセットに分割するための第２のモジュールと、 
疑似ランダム・シーケンスに応じて、前記サブセットのうちの少なくとも一つを選択するための第３のモジュールと、 
前記制御チャネルにおける前記選択されたサブセットを、隣接するセクターにおけるデバイスへ送信するための第４のモジュールとを含み、 
前記疑似ランダム・シーケンスは、基地局間のシグナリングに基づき、該シグナリングは、無線上又はバックホール・チャネル上にある少なくとも一つのプロセッサ。 
［５８］統計的再利用で送信されるセクター間制御チャネルを受信するための方法において、 
隣接するセクターにおける基地局から制御チャネルを受信することと、 
前記受信された制御チャネルにおける資源のサブセットを検出することと、 
前記資源のサブセットのうちの一つの資源に含まれるブロードキャスト制御メッセージを識別することを含む方法。 
［５９］前記資源のサブセットは、疑似ランダム・シーケンスについての知識に基づいて選択される［５８］の方法。 
［６０］前記資源のサブセットは、前記ブロードキャスト制御メッセージの送信のために割り当てられた資源のセットの一部である［５８］の方法。 
［６１］前記資源のサブセットは、時間資源、周波数資源、符号空間資源又は電力資源を含む［５８］の方法。 
［６２］２つ以上の資源のサブセットを受信することと、 
ブロードキャスト制御メッセージを得るために、前記資源のサブセットを合同で復号化することを更に含む［５８］の方法。 
［６３］前記合同で復号化することは、前記サブセットにおけるパイロット・シンボルに基づく［６２］の方法。 
［６４］隣接するセクターにおける基地局から制御チャネルを受信することと、前記受信された制御チャネルにおける資源のサブセットを検出することと、前記資源のサブセットのうちの一つの資源に含まれるブロードキャスト制御メッセージを識別することに関係するインストラクションを保持するメモリと、 
前記メモリに接続され、前記メモリ中に保持されたインストラクションを実行するように構成されたプロセッサとを含む無線通信装置。 
［６５］前記資源のサブセットは、疑似ランダム・シーケンスについての知識に基づいて選択される［６４］の無線通信装置。 
［６６］前記資源のサブセットは、前記ブロードキャスト制御メッセージの送信のために割り当てられた資源のセットの一部である［６４］の無線通信装置。 
［６７］前記資源のサブセットは、時間資源、周波数資源、符号空間資源又は電力資源を含む［６４］の無線通信装置。 
［６８］前記メモリは、２つ以上の資源のサブセットを受信することと、ブロードキャスト制御メッセージを得るために、前記資源のサブセットを合同で復号化することに関係するインストラクション（該合同で復号化することは、前記サブセットにおけるパイロット・シンボルに基づく）を更に保持する［６４］の無線通信装置。 
［６９］統計的再利用で送信されるセクター間制御チャネルを受信する無線通信装置において、 
隣接するセクターにおける基地局により送信される制御チャネルを受信するための手段と、 
前記受信された制御チャネルにおける資源のサブセットを識別するための手段と、 
前記資源のサブセットのうちの一つの資源に含まれる制御メッセージを識別するための手段とを含む無線通信装置。 
［７０］２つ以上の資源のサブセットを受信するための手段と、 
ブロードキャスト制御メッセージを得るために、前記資源のサブセットを合同で復号化するための手段（該合同で復号化することは、前記サブセットにおけるパイロット・シンボルに基づく）とを更に含む［６９］の無線通信装置。 
［７１］前記資源のサブセットは、疑似ランダム・シーケンスについての知識に基づいて識別される［６９］の無線通信装置。 
［７２］前記資源のサブセットは、前記制御メッセージの送信のために割り当てられた資源のセットの一部である［６９］の無線通信装置。 
［７３］コンピュータに、隣接するセクターにおける基地局により送信される制御チャネルを受信させるための第１のコード・セットと、 
前記コンピュータに、前記受信された制御チャネルにおける資源のサブセットを識別させるための第２のコード・セットと、 
前記コンピュータに、前記資源のサブセットのうちの一つの資源に含まれる制御メッセージを識別させるための第３のコード・セットとを含むコンピュータ読み取り可能な媒体を含むコンピュータ・プログラム製品。 
［７４］前記コンピュータ読み取り可能な媒体は、 
前記コンピュータに、２つ以上の資源のサブセットを受信させるための第４のコード・セットと、 
前記コンピュータに、ブロードキャスト制御メッセージを得るために、前記資源のサブセットを合同で復号化させるための第５のコード・セット（該合同で復号化することは、前記サブセットにおけるパイロット・シンボルに基づく）とを更に含む［７３］のコンピュータ・プログラム製品。 
［７５］前記資源のサブセットは、疑似ランダム・シーケンスについての知識に基づいて識別される［７３］のコンピュータ・プログラム製品。 
［７６］統計的再利用で送信されるセクター間制御チャネルを受信するように構成された少なくとも一つのプロセッサにおいて、 
隣接するセクターにおける基地局から制御チャネルを受信するための第１のモジュールと、 
前記受信された制御チャネルにおける資源のサブセットを、疑似ランダム・シーケンスについての知識に基づいて検出するための第２のモジュールと、 
前記資源のサブセットのうちの一つの資源に含まれるブロードキャスト制御メッセージを識別するための第３のモジュールとを含む少なくとも一つのプロセッサ。
【図１】
0005536065.tif 000002
【図２】
0005536065.tif 000003
【図３】
0005536065.tif 000004
【図４】
0005536065.tif 000005
【図５】
0005536065.tif 000006
【図６】
0005536065.tif 000007
【図７】
0005536065.tif 000008
【図８】
0005536065.tif 000009
【図９】
0005536065.tif 000010
【図１０】
0005536065.tif 000011
【図１１】
0005536065.tif 000012
【図１２】
0005536065.tif 000013
【図１３】
0005536065.tif 000014
【図１４】
0005536065.tif 000015